(57)【要約】  照明装置（Ｌ）は、導光板（１）と複数の光源（２１）とを有する光源ユニット（２０）を複数備えている。導光板（１）には、光源（２１）から入射した光を外部に出射させる照明領域（４）と、光源（２１）から入射した光を照明領域（４）に導く導光領域（３）とが並んで設けられている。照明領域（４）は、光源（２１）の光軸方向に沿って光の透過を制限するスリット部（８）を備えることで複数の発光部（９）に区分されている。光源（２１）は、各発光部（９）に対し少なくとも１つが導光領域（３）に並んで設けられている。光源ユニット（２０）は、少なくとも、照明領域（４）において発光部（９）が並ぶ第１の方向に並んで設けられている。第１の方向に隣り合う光源ユニット（２０）間の発光部（９）間の少なくとも一部にもスリット部（８）が設けられている。これにより、隣接エリアへの光漏れを低減しながら導光ブロックの結合体としての強度を保つことができるとともに、均一な発光を行うことができる照明装置（Ｌ）を提供することができる。
2009144853.tif 000002
【特許請求の範囲】
【請求項１】
導光板と複数の光源とを有する光源ユニットを複数備え、
上記導光板には、上記光源から入射した光を外部に出射させる照明領域と、上記光源から入射した光を上記照明領域に導く導光領域とが並んで設けられており、
上記照明領域は、上記光源の光軸方向に沿って光の透過を制限する仕切りを備えることで複数の発光部に区分されており、
上記各光源は、各発光部に対し少なくとも１つが上記導光領域に並んで設けられており、
上記複数の光源ユニットは、少なくとも、上記照明領域において上記発光部が並ぶ第１の方向に並んで設けられており、
上記第１の方向に隣り合う光源ユニット間の上記発光部間の少なくとも一部にも上記仕切りを備えていることを特徴とする照明装置。
【請求項２】
各光源ユニット内の発光部間に設けられた仕切りの幅と、上記第１の方向に隣り合う光源ユニット間に設けられた仕切りの幅とが同一であることを特徴とする請求項１に記載の照明装置。
【請求項３】
上記第１の方向に隣り合う光源ユニット間の上記発光部間の仕切りは、各光源ユニットにおける上記第１の方向の少なくとも一方の端に設けられており、上記各光源ユニットにおける上記第１の方向の両端の仕切りの幅を、各々ｃ１、ｃ２とし、上記各光源ユニット内の発光部間に設けられた仕切りの幅をｂとし、ｃ１≧０、ｃ２＞０、ｂ＞０とすると、次式（１）
ｃ１＋ｃ２＝ｂ…（１）
を満足することを特徴とする請求項１に記載の照明装置。
【請求項４】
ｃ１＝ｃ２＝１／２ｂであることを特徴とする請求項３に記載の照明装置。
【請求項５】
上記仕切りが、上記導光板に設けられたスリットまたは溝であることを特徴とする請求項１〜４の何れか１項に記載の照明装置。
【請求項６】
上記仕切りが、該仕切りで区分された上記発光部よりも屈性率が小さい層であることを特徴とする請求項１〜５の何れか１項に記載の照明装置。
【請求項７】
上記仕切りが、全反射条件を満たすことを特徴とする請求項１〜６の何れか１項に記載の照明装置。
【請求項８】
上記仕切りが、光散乱物質もしくは遮光体からなることを特徴とする請求項１〜４の何れか１項に記載の照明装置。
【請求項９】
上記仕切りは、上記照明領域において、上記第１の方向に隣り合う発光部に対して設けられた光源から入射した光が交差する点を含むことを特徴とする請求項１〜８の何れか１項に記載の照明装置。
【請求項１０】
上記発光部は、上記照明領域における上記導光領域とは反対側の端部で、上記仕切りを介さずに各々直接繋がっていることを特徴とする請求項１〜９の何れか１項に記載の照明装置。
【請求項１１】
上記仕切りは、上記照明領域の端から端まで設けられていることを特徴とする請求項１〜１０の何れか１項に記載の照明装置。
【請求項１２】
上記仕切りは、凹凸形状を有していることを特徴とする請求項１〜１１の何れか１項に記載の照明装置。
【請求項１３】
上記各光源ユニットの第２の方向に、他の光源ユニットが、一方の光源ユニットの導光領域の少なくとも一部に、他方の光源ユニットの照明領域が重なるように配置されていることを特徴とする請求項１〜１２の何れか１項に記載の照明装置。
【請求項１４】
光源と導光ブロックとを有する光源ブロックを複数備え、
上記導光ブロックは、上記光源から入射した光を外部に出射させる発光部と、上記光源から入射した光を上記発光部に導く導光部とを備え、
複数の上記光源ブロックが第１の方向に配列されて光源ユニットを形成し、
上記光源ユニットは、隣り合う導光部同士の少なくとも一部が繋がっているとともに、隣り合う発光部間の少なくとも一部に光学的な仕切りを備え、
複数の上記光源ユニットが少なくとも上記第１の方向に配列され、
上記第１の方向に隣り合う上記光源ユニット間の上記発光部間の少なくとも一部にも上記仕切りを備えていることを特徴とする照明装置。
【請求項１５】
上記各光源ユニットは、隣り合う導光部同士の少なくとも一部が繋がった導光領域と、上記発光部と仕切りとを含む照明領域とを備え、
複数の上記光源ユニットが二次元に配列され、上記光源ユニットの第２の方向に他の光源ユニットが隣り合い、
上記第２の方向に隣り合う一方の光源ユニットの導光領域の少なくとも一部に、他方の光源ユニットの照明領域が重なっていることを特徴とする請求項１４に記載の照明装置。
【請求項１６】
表示パネルと、請求項１〜１５の何れか１項に記載の照明装置とを備えていることを特徴とする表示装置。
【請求項１７】
上記複数の発光部に送られる各々の映像信号に応じて上記各光源の照明光量を制御する制御回路を有していることを特徴とする請求項１６に記載の表示装置。
【請求項１８】
上記制御回路は、上記表示パネルに表示する画像の階調レベルに応じて上記照明装置の単位時間当たりの照明期間と非照明期間との比率を変更することにより、上記表示パネルへの照明光強度を制御することを特徴とする請求項１７記載の表示装置。
【請求項１９】
光源から入射した光を外部に出射させる照明領域と、上記光源から入射した光を上記照明領域に導く導光領域とが並んで設けられており、
上記照明領域は、上記光源の光軸方向に沿って光の透過を制限する仕切りを備えることで複数の発光部に区分されており、
上記照明領域の上記発光部が並ぶ第１の方向の少なくとも一方の端の少なくとも一部にも上記仕切りを備えていることを特徴とする導光板。
【請求項２０】
光源から入射した光を外部に出射させる発光部と、上記光源から入射した光を上記発光部に導く導光部とを有する導光ブロックを複数備え、
複数の上記導光ブロックが一次元に配列され、
隣り合う上記導光部同士の少なくとも一部が繋がっているとともに、隣り合う上記発光部間の少なくとも一部に光学的な仕切りを備え、
さらに、上記導光ブロックが配列される方向の少なくとも一方の端の少なくとも一部にも上記仕切りを備えていることを特徴とする導光板。
【発明の詳細な説明】
【技術分野】
【０００１】
本発明は、エリアアクティブ駆動が可能で薄型の照明装置、並びに、該照明装置を用いた表示装置、並びに上記照明装置に用いられる導光板に関するものである。
【背景技術】
【０００２】
近年、ブラウン管（ＣＲＴ）に代わり急速に普及している液晶表示装置は、省エネ型、薄型、軽量型等の特長を活かし液晶テレビ、モニタ、携帯電話等に幅広く利用されている。これらの特長をさらに活かす方法として液晶表示装置の背後に配置される照明装置（いわゆるバックライト）の改良が挙げられる。【０００３】
照明装置は、主にサイドライト型（エッジライト型ともいう）と直下型とに大別される。サイドライト型は、液晶表示パネルの背後に導光板が設けられ、導光板の端面（横端部）に光源が設けられた構成を有している。光源から出射した光は、導光板で反射して間接的に液晶表示パネルを均一照射する。この構造により、輝度は低いが、薄型化することができるとともに、輝度均一性に優れた照明装置が実現できる。そのため、サイドライト型の照明装置は、携帯電話、ノートパソコン等のような中小型液晶ディスプレイに主に採用されている。【０００４】
一方、直下型の照明装置は、液晶表示パネルの背後に光源を複数個配列し、液晶表示パネルを直接照射する。したがって、大画面でも高輝度が得易く、２０インチ以上の大型液晶ディスプレイで主に採用されている。しかし、現在の直下型の照明装置は、厚みが約２０ｍｍ〜４０ｍｍ程度もあり、ディスプレイの更なる薄型化には障害となる。【０００５】
そこで、サイドライト型の照明装置を複数個並べることで、大型液晶ディスプレイを薄型化する試みがなされている（例えば特許文献１、２参照）。【０００６】
特許文献１、２に記載の照明装置（面光源装置）は、板状の導光ブロックである導光板を一次光の方向（縦方向）に連結することにより、各導光ブロックに一次光を供給する一次光源を備えたタンデム型の構造を有している。このように、光源と導光板とを組み合わせて構成される発光ユニット（光源ユニット）を複数個並べて構成された照明装置は、一般的に、タンデム型の照明装置と称される。
【特許文献１】日本国公開特許公報「特開平１１−２８８６１１号公報（公開日：１９９９年１０月１９日）」
【特許文献２】日本国公開特許公報「特開２００１−３１２９１６号公報（公開日：２００１年１１月９日）」
【発明の開示】
【０００７】
このようなタンデム型の照明装置では、タンデムされた導光ブロックによって形成される隣接エリアへの光漏れを低減するため、導光ブロック間の連結部（光源配置部）の厚みを可能な限り薄くしている。
【０００８】
しかしながら、導光ブロック間の連結部の厚みを薄くすればするほど、導光ブロックの結合体としての強度が低下してしまう。
【０００９】
本願発明者らは、鋭意検討した結果、導光板に、光源から入射した光を外部に出射させる照明領域と、上記光源から入射した光を上記照明領域に導く導光領域とを設け、上記照明領域に例えばスリットで区分された複数の発光部を設けることで、上記課題を解決することができることを見出した。
【００１０】
上記照明装置は、光源ユニットの配置方向（タンデム方向）を縦方向とすると、従来技術で言う複数の導光ブロックが、導光部で横方向（すなわち、複数の導光部と交差する方向）に連結されたに等しい構造を有している。このため、隣接エリアへの光漏れを低減しながら導光ブロックの結合体としての強度を保つことができる。
【００１１】
また、上記した手法により、理想的には、幾つもの導光ブロックを横に連ねた構造を有する導光板を、１つの導光板で作製することが可能となる。しかしながら、大型化を目指すために、あまりにも多数の導光ブロックが一体化された構造を有する導光板を作成した場合、導光板が反り易くなったり、折れ易くなったりする。このため、１つの導光板の大きさには限界がある。また、面内で不均一な光り方になってしまう。
【００１２】
本発明は、上記の問題点に鑑みてなされたものであり、その目的は、隣接エリアへの光漏れを低減しながら導光ブロックの結合体としての強度を保つことができるとともに、均一な発光を行うことができる照明装置、および該照明装置を用いた表示装置、並びに上記照明装置に適した導光板を提供することにある。
【００１３】
上記目的を達成するために、照明装置は、導光板と複数の光源とを有する光源ユニットを複数備え、上記導光板には、上記光源から入射した光を外部に出射させる照明領域と、上記光源から入射した光を上記照明領域に導く導光領域とが並んで設けられており、上記照明領域は、上記光源の光軸方向に沿って光の透過を制限する仕切りを備えることで複数の発光部に区分されており、上記各光源は、各発光部に対し少なくとも１つが上記導光領域に並んで設けられており、上記複数の光源ユニットは、少なくとも、上記照明領域において上記発光部が並ぶ第１の方向に並んで設けられており、上記第１の方向に隣り合う光源ユニット間の上記発光部間の少なくとも一部にも上記仕切りを備えている。
【００１４】
また、上記目的を達成するために、照明装置は、光源と導光ブロックとを有する光源ブロックを複数備え、上記導光ブロックは、上記光源から入射した光を外部に出射させる発光部と、上記光源から入射した光を上記発光部に導く導光部とを備え、複数の上記光源ブロックが第１の方向に配列されて光源ユニットを形成し、上記光源ユニットは、隣り合う導光部同士の少なくとも一部が繋がっているとともに、隣り合う発光部間の少なくとも一部に光学的な仕切りを備え、複数の上記光源ユニットが少なくとも上記第１の方向に配列され、上記第１の方向に隣り合う上記光源ユニット間の上記発光部間の少なくとも一部にも上記仕切りを備えている。
【００１５】
上記各照明は、上記仕切りによって照明領域に複数の発光部が設けられていることで、導光板一つに対して複数の発光部が設けられている。上記光源ユニットの配置方向（タンデム方向）を縦方向とすると、上記導光板は、複数の導光ブロックが、導光部で横方向（複数の導光部と交差する方向）に連結されたに等しい構造を有している。
【００１６】
また、発光部間に上記仕切りが設けられていることで、簡素な構成でありながら、各光源から出射された光を、目的とする発光部に閉じ込め、隣の発光部に漏れることを抑制、回避することができる。
【００１７】
しかも、上記第１の方向に隣り合う光源ユニット間の発光部間の少なくとも一部にも上記仕切りが設けられていることで、複数の光源ユニットを上記第１の方向に並べても、照明領域のどの部分でも光り方が同じになる。このため、面内で均一な発光を行うことができる。
【００１８】
したがって、上記の各構成によれば、隣接エリアへの光漏れを低減しながら導光ブロックの結合体としての強度を保つことができるとともに、照明領域のどの部分でも光り方が均一な照明装置を提供することができる。
【００１９】
また、上記目的を達成するために、導光板は、光源から入射した光を外部に出射させる照明領域と、上記光源から入射した光を上記照明領域に導く導光領域とが並んで設けられており、上記照明領域は、上記光源の光軸方向に沿って光の透過を制限する仕切りを備えることで複数の発光部に区分されており、上記照明領域の上記発光部が並ぶ第１の方向の少なくとも一方の端の少なくとも一部にも上記仕切りを備えている。
【００２０】
また、上記目的を達成するために、導光板は、光源から入射した光を外部に出射させる発光部と、上記光源から入射した光を上記発光部に導く導光部とを有する導光ブロックを複数備え、複数の上記導光ブロックが一次元に配列され、隣り合う上記導光部同士の少なくとも一部が繋がっているとともに、隣り合う上記発光部間の少なくとも一部に光学的な仕切りを備え、さらに、上記導光ブロックが配列される方向の少なくとも一方の端の少なくとも一部にも上記仕切りを備えている。
【００２１】
したがって、これら導光板は、上記照明装置に適している。
【００２２】
また、上記目的を達成するために、表示装置は、表示パネルと、上記照明装置とを備えている。
【００２３】
上記照明装置は、隣接エリアへの光漏れを低減しながら導光ブロックの結合体としての強度を保つことができる。また、複数の光源ユニットを上記第１の方向に並べても、照明領域のどの部分でも光り方が同じになる。このため、面内で均一な発光を行うことができる。
【００２４】
したがって、上記の構成によれば、充分な輝度と、優れた輝度均一性とを実現することができるとともに、照明装置の強度が高く、頑丈な表示装置を得ることができる。
【００２５】
また、上記表示装置が上記の構成を備えていることで、装置の薄型化を図ることができる。また、発光面積が大きくなった場合にも、充分な輝度と、優れた輝度均一性とを実現することができ、しかも、高画質化に向けて各照明領域の輝度を調整することができる。
【図面の簡単な説明】
【００２６】
【図１】本発明の実施の一形態にかかる照明装置の要部の概略構成を示す平面図である。
【図２】（ａ）は、本発明の実施の一形態にかかる光源ユニットの概略構成を示す平面図であり、（ｂ）は、（ａ）に示す光源ユニットにおける導光板のＡ−Ａ線矢視断面図である。
【図３】図２の（ａ）に示す光源ユニットのＢ−Ｂ線矢視断面図である。
【図４】照明領域にスリット部が設けられていない光源ユニットを用いた照明装置の要部の概略構成を示す平面図である。
【図５】本発明の実施の一形態にかかる光源ユニットの概略構成を、該光源ユニットにおける光源を拡大して示す平面図である。
【図６】本発明の実施の一形態にかかる光源ユニットの概略構成を、該光源ユニットにおける光源を拡大して示す他の平面図である。
【図７】本発明の実施の一形態にかかる光源ユニットの概略構成を、該光源ユニットにおける光源を拡大して示すさらに他の平面図である。
【図８】図２の（ａ）に示す光源ユニットにおける導光板の形状の他の一例を、図２の（ａ）に示す光源ユニットのＢ−Ｂ線矢視断面にて示す図である。
【図９】図２の（ａ）に示す光源ユニットにおける導光板の形状のさらに他の一例を、図２の（ａ）に示す光源ユニットのＢ−Ｂ線矢視断面にて示す図である。
【図１０】図９に示す導光板を各々異なる角度から見たときの該導光板の形状を並べて示す斜視図である。
【図１１】図９に示す導光板の正面図、左側面図、平面図、右側面図を並べて示す図である。
【図１２】（ａ）は、図１に示す各光源ユニットを部分的にずらし重ねてなるタンデム型の照明装置の概略構成を示す平面図であり、（ｂ）は、（ａ）に示す照明装置のＣ−Ｃ線矢視断面図である。
【図１３】本発明の実施の一形態にかかる上記照明装置の主要部の構成の一例を示すブロック図である。
【図１４】本発明の実施の一形態にかかる他の光源ユニットの概略構成を示す平面図である。
【図１５】（ａ）は、本発明の実施の他の形態にかかる照明装置の要部の概略構成を示す平面図であり、（ｂ）は、（ａ）に示す照明装置における導光板のＤ−Ｄ線矢視断面図である。
【図１６】（ａ）は、本発明の実施のさらに他の形態にかかる照明装置の要部の概略構成を示す平面図であり、（ｂ）は、（ａ）に示す照明装置における導光板のＥ−Ｅ線矢視断面図である。
【図１７】（ａ）は、本発明の実施のさらに他の形態にかかる他の照明装置の要部の概略構成を示す平面図であり、（ｂ）は、（ａ）に示す照明装置における導光板のＦ−Ｆ線矢視断面図である。
【図１８】本発明の実施のさらに他の形態にかかる照明装置の要部の概略構成を示す平面図である。
【図１９】（ａ）は、本発明の実施のさらに他の形態にかかる他の照明装置の要部の概略構成を示す平面図であり、（ｂ）は、（ａ）に示す照明装置における導光板のＧ−Ｇ線矢視断面図である。
【図２０】（ａ）・（ｂ）は、各々、本発明の実施のさらに他の形態にかかる照明装置の要部の概略構成の一例を示す平面図である。
【図２１】（ａ）は、本発明の実施のさらに他の形態にかかる他の照明装置の要部の概略構成を示す平面図であり、（ｂ）は、（ａ）に示す照明装置における導光板のＨ−Ｈ線矢視断面図である。
【図２２】本発明の実施のさらに他の形態にかかる液晶表示装置の要部の概略構成を模式的に示す断面図である。
【図２３】（ａ）は、図２２に示す液晶表示装置に設けられた照明装置の概略構成の一例を示す平面図であり、（ｂ）は、図２２に示す液晶表示装置を、図２３の（ａ）に示す照明装置における光源とは反対側から見たときの該液晶表示装置の概略構成を模式的に示す端面図である。
【図２４】上記液晶表示装置におけるエリアアクティブ駆動の動作原理を示す平面図である。
【図２５】本発明の実施のさらに他の形態にかかる液晶表示装置の主要部の概略構成を示すブロック図である。
【図２６】本発明の実施の他の形態にかかるテレビジョン受信機用の液晶表示装置の概略構成を示すブロック図である。
【図２７】図２６に示すテレビジョン受信機におけるチューナー部と液晶表示装置との関係を示すブロック図である。
【図２８】図２６に示すテレビジョン受信機の分解斜視図である。
【符号の説明】
【００２７】
１    導光板
１Ａ  導光ブロック
２    入光端面
３    導光領域
３Ａ  導光部
４    照明領域
５    発光面
６    構造物
７    デッドエリア
８    スリット部（仕切り）
８Ａ  切欠部（仕切り）
９    発光部
１１    段差部
１２    先端面
１３    溝部（仕切り）
１３Ａ  溝部（仕切り）
１４    散乱部材（仕切り）
１４Ａ  散乱部材（仕切り）
１６    低屈折率層（仕切り）
１６Ａ  低屈折率層（仕切り）
２０    光源ユニット
２０Ａ  光源ブロック
２１    光源
２２    ＬＥＤチップ
２３    ＬＥＤチップ
２４    ＬＥＤチップ
３０    照明装置
３１    遮光体（遮光部材）
３４    点灯制御回路
４０    液晶表示装置
４１    液晶パネル（表示パネル）
４２    基板
４３    光学シート
４４    最大階調レベル検出回路
４５    階調変換回路
５０    Ｙ／Ｃ分離回路
５１    ビデオクロマ回路
５２    Ａ／Ｄコンバータ
５３    液晶コントローラ
５４    バックライト駆動回路
５５    マイコン
５６    階調回路
６０    チューナー部
６１    第１の筐体
６１ａ  開口部
６２    第２の筐体
６３    操作用回路
６４    支持用部材
ＢＬ    光源
ＢＬＵ  光源ユニット
Ｌ      照明装置
ＬＡ    発光面
ＬＧ    導光板
【発明を実施するための最良の形態】
【００２８】
〔実施の形態１〕
本発明の実施の一形態について図１〜図１４に基づいて説明すれば、以下の通りである。【００２９】
図１は本実施の形態にかかる照明装置の要部の概略構成を示す平面図である。【００３０】
図１に示すように、本実施の形態にかかる照明装置Ｌは、導光板１（導光体）と複数の光源２１とを備えた光源ユニット２０を複数備えている。照明装置Ｌは、各光源ユニット２０の導光板１が、互いに重ならないように同一平面上に配置された構成を有している。【００３１】
以下に、まず、本実施の形態にかかる光源ユニット２０の構成について説明する。【００３２】
図２の（ａ）は、本実施の形態にかかる光源ユニット２０の概略構成を示す平面図であり、図２の（ｂ）は、図２の（ａ）に示す光源ユニット２０における導光板１のＡ−Ａ線矢視断面図である。図３は、図２の（ａ）に示す光源ユニット２０のＢ−Ｂ線矢視断面図である。【００３３】
図２の（ａ）に示すように、光源ユニット２０は、導光板１（導光体）と、該導光板１の一端面に設けられた複数の光源２１（点状光源）とを備えている。【００３４】
光源ユニット２０は、光源２１が設けられた、導光板１の一端面から入射した光を一方の主面（盤面）から出射（面放射）するサイドライト型の光源ユニット（面光源ユニット）である。【００３５】
以下の説明においては、説明の便宜上、導光板１における光の出射側の主面を上面または表面とし、その反対側の主面を下面または裏面として説明する。【００３６】
導光板１は、図２の（ａ）および図３に示すように、光源２１側の端面である入光端面２（光の入射端面）から入射した光を、該導光板１の内部で屈曲（反射）させて、該導光板１の上面の一部から出射させる。【００３７】
導光板１は、例えば、ＰＭＭＡ（メタクリル酸メチル樹脂）等の（メタ）アクリル系樹脂、「ゼオノア」（登録商標、日本ゼオン株式会社製）等のＣＯＰ（シクロオレフィンポリマー）、ＣＯＣ（シクロオレフィンコポリマー）、ポリカーボネート等の透明樹脂で形成されている。但し、導光板１の材料は上記例示に限定されるものではなく、導光板として一般的に使用される材料全般を採用することができ、上記例示に限らず、例えば、透明樹脂であれば特に制限されることなく適用が可能である。【００３８】
導光板１は、光源２１から出射（放射）された光の中心軸方向を光軸方向とすると、光軸方向に、機能の異なる２つの領域を有している。なお、本実施の形態において、光源２１から出射される光の光軸方向とは、光源２１の発光面に垂直な方向、すなわち、入光端面２に垂直な方向を示す。したがって、導光板１は、主面に沿って、上記２つの領域を有している。【００３９】
図２の（ａ）および図３に示すように、導光板１は、平面視で、入光端面２側から順に、導光領域３と、照明領域４とを備えている。これにより、導光板１は、該導光板１の一方の主面全面ではなく、一方の主面の一部から外部に光を出射させている。なお、本実施の形態において「平面視」とは、「導光板１を真上（主面に垂直な方向）から見たとき」と同義である。【００４０】
導光領域３は、入光端面２を受光面として有し、入光端面２から入射された光を、主面に沿って照明領域４に導光する。【００４１】
一方、照明領域４は、その上面に、被照射物における被照射面に対向配置され、外部（被照射物における被照射面）に向かって光を出射させる発光面５を備えている。照明領域４は、導光領域３から導光された光を発光面５から出射させる。【００４２】
なお、上記したように光源２１として点状光源を使用した場合、該光源２１から出射される光は、ある一定の角度で出射されることから、出射角度が制限される。このため、図２の（ａ）に示すように、光源２１の近傍には、光源２１の指向性に起因して光が伝達（照射）されず、暗く、影となる部分（以下、「デッドエリア」と記す）７が存在する。【００４３】
そこで、本実施の形態では、デッドエリア７を含む領域を導光領域３として使用している。このように、デッドエリア７を照明領域４として使用せず、光源２１から出射された光を導光領域３において十分に拡散させた後に発光面５から面放射させることで、輝度均一性を向上させることができ、発光面５に暗部の無い光源ユニット２０を提供することができる。【００４４】
また、導光領域３は、光源２１から出射された光を混色（混光）する混色部（混光部）としても機能する。このように、異なる発光色、例えばＲ（赤色）、Ｇ（緑色）、Ｂ（青色）の各単色ＬＥＤ（発光ダイオード）から出射された光を混色させることで白色照明を得ることができる。【００４５】
図３に示すように、導光領域３と照明領域４とは一体的に設けられている。しかしながら、導光板１の裏面における照明領域４に相当する領域には、例えば図３に示す構造物６（光散乱部材）のように、導光領域３から導光された光を発光面５から導光板１外に出射させるための加工あるいは処理が施されている。なお、本実施の形態では、構造物６を導光板１の裏面に設けた構成について図示したが、本実施の形態はこれに限定されるものではない。上記したような構造物６は、照明領域４に設けられてさえいえれば、導光板１の表裏面（発光面５およびその対向面）の少なくとも何れか一方に設けられていてもよく、導光板１の内部に設けられていても構わない。【００４６】
一方、導光領域３には、上記加工や処理が施されておらず、入光端面２から導光領域３に入射した光は、該導光領域３における外部との界面で反射される等して照明領域４に導光される。【００４７】
このため、光源２１から導光板１に入射した光は、導光領域３を経て照明領域４に到達し、該照明領域４で散乱・反射されて発光面５から導光板１外に出射される。【００４８】
照明領域４に施される上記加工や処理は、例えば、プリズム加工やシボ加工、印刷処理等が挙げられる。しかしながら、本実施の形態はこれに限定されるものではない。上記加工や処理としては、導光板から光を出射させるために従来導光板に施されている公知の加工や処理を適宜採用することができる。【００４９】
したがって、上記加工や処理によって導光板１の照明領域４に形成される構造物６としては、例えば、シボ加工による微細な凹凸形状（シボ形状）あるいはプリズム形状を有する構造物であってもよく、印刷等により形成されるドットパターンであってもよい。なお、構造物６は、上記例示にのみ限定されるものではなく、従来、導光板１内の光を導光板１外に放出する光拡散機能を有する構造物（光拡散部材）全般が、採用の対象となる。【００５０】
構造物６の密度は一定であってもよく、光源２１からの距離、あるいは、導光板１の発光面５における発光量に応じて異なっていてもよい。例えば、光源２１からの距離が大きくなるにしたがって構造物６の密度または面積を増加させることで、発光面５内における輝度の均一化を図ることができる。【００５１】
一方、導光領域３には上記加工や処理が施されていないことで、光源２１から出射された光は、導光領域３における外部との界面で反射される等して、実質的に導光領域３から外部に出射されることなく照明領域４に導光される。しかしながら、例えば漏光をより確実に抑制し、界面で反射された光をより有効に再利用して光の減衰を抑制する目的で、導光領域３を覆うように、該導光領域３の表裏面に、必要に応じて、反射シート等の遮光シートを設けてもよく、あるいは、鏡面処理を施してもよい。【００５２】
但し、本実施の形態において、導光板１は、発光面５が被照射物における被照射面に対向するように配置される。したがって、本実施の形態にかかる照明装置Ｌが、導光板１を複数枚、互いにずらしながら重ねる（以下、単に「ずらし重ねる」と記す）ことなく同一平面上にのみ並べてなる、いわゆるタイル式の照明装置である場合、導光領域３並びに光源２１は、遮光部材によって覆われる。上記遮光部材としては、例えば、液晶表示装置の外枠等、上記照明装置Ｌを備えた電子部品の一部が用いられる。【００５３】
光の減衰を抑制する上で、理想的には、光源２１から出射された光は、導光領域３から外部に出射されることなく照明領域４に導光されることが望ましい。しかしながら、照明装置Ｌがタイル式の照明装置である場合、前記の理由から、照明領域４に光を導光することができさえすれば、漏光があったとしても問題はない。したがって、照明装置Ｌがタイル式の照明装置である場合、反射シート等の遮光シートや鏡面処理は必須ではない。【００５４】
次に、照明領域４の構造について以下に説明する。【００５５】
本実施の形態にかかる導光板１は、図２の（ａ）・（ｂ）に示すように、照明領域４が、光の透過を制限する仕切りを備えることで、複数の領域（以下、「発光部」と称する）９に区分された構造を有している。上記仕切りは、光源２１から出射される光の光軸方向に沿って設けられている。【００５６】
すなわち、上記導光板１は、図２の（ａ）に示すように、従来技術で言う複数の導光ブロック１Ａが、一次元に配列されてなり、各導光ブロック１Ａの隣り合う導光部３Ａ同士が繋がった導光領域３を備え、隣り合う発光部９間に光学的な仕切りを備えている構成を有している。また、上記光源ユニット２０は、上記導光ブロック１Ａと光源２１とからなる光源ブロック２０Ａが、上記したように導光部３Ａで複数繋がった構成を有している。【００５７】
本実施の形態では、導光板１の照明領域４に、上記仕切りとして、該導光板１の表裏面を貫通するスリット部８（スリット）が設けられている。スリット部８は、光源２１から出射される光の光軸方向に平行に、照明領域４の端から端まで（つまり、導光領域３との境界部から、入光端面２とは反対側の端面である先端面１２まで）設けられている。これにより、照明領域４は、入光端面２に垂直な方向に分割された複数の発光部９を備えている。また、導光板１は、複数の発光部９が、平面視で、導光領域３に対し櫛歯状に配列された構造を有している。【００５８】
このため、上記導光板１は、光源ユニット２０の配置方向（タンデム方向、第２の方向）を縦方向とすると、複数の導光ブロック１Ａが、各導光部３Ａで横方向（複数の導光部３Ａと交差する方向、第１の方向）に連結されたに等しい構造を有している。【００５９】
上記導光板１は、照明領域４に仕切りを設けることで隣り合う導光ブロック１Ａの導光部３Ａ同士が一体的に設けられており、各導光部３Ａの連結部の強度が高く、導光ブロック１Ａの結合体として、頑丈な構造を有している。このため、各導光板１の導光領域３の少なくとも一部が重なるように光源ユニット２０が複数配置されてなる照明装置３０は、導光領域３の強度が高く、各導光板１における導光領域３の厚みを薄くしたとしても、導光ブロック１Ａの結合体として、頑丈な構造を有している。【００６０】
また、上記照明装置３０は、照明領域４に上記仕切りが設けられていることで、簡素な構成でありながら、各光源２１から出射された光を、目的とする各発光部９内に閉じ込め、隣の発光部９に漏れることを抑制、回避することができる。【００６１】
したがって、本実施の形態によれば、隣接エリアへの光漏れを低減しながら導光ブロック１Ａの結合体としての強度を保つことができる照明装置３０を提供することができる。【００６２】
なお、図２の（ａ）・（ｂ）では、照明領域４が６つの領域に区切られているが、照明領域４をエリア分割することができれば、スリット部８の数は特に限定されるものではない。すなわち、スリット部８を少なくとも１つ設けることで照明領域４が２つ以上の領域に区切られていれば、領域数は特に限定されない。また、スリット部８によって区切られた各発光部９の大きさも特に限定されない。各発光部９の大きさは、被照射物における被照射面の大きさに応じて適宜設定すればよく、特に限定されない。【００６３】
但し、照明装置Ｌを、液晶表示装置等の表示装置における照明装置として用いる場合、各発光部９の大きさは、１画素の整数倍に等しいことが好ましい。これにより、画素単位あるいは画素列毎に、輝度制御を行うことができる。【００６４】
なお、導光板１の端面に設けられた各光源２１は、スリット部８で区切られた各発光部９に対応するように、各発光部９に対して一対一で設けられている。これにより、導光板１の端面に設けられた各光源２１から出射された光は、スリット部８で区切られた各発光部９に導光される。【００６５】
照明領域４には、スリット部８が形成されていることで、スリット部８による反射が発生する。全反射角条件を満たす角度でスリット部８に当たる光は全て反射される。なお、全反射角条件を満たす角度とは、全反射となる最小の入射角である臨界角θを超える角度を示す。全反射角条件を満たさない光の一部は隣の発光部９に漏れるが、スリット部８を設けない場合には該スリット部８に相当する領域に入射した光は全て該領域を透過する。このため、スリット部８を設けることで、各光源２１から出射された光の出射領域を制限することができる。したがって、本実施の形態によれば、各発光部９に対応する光源２１の光量を独立して調整（独立駆動）することにより、各発光部９から放射される光の量を独立して調整することが可能となる。このため、発光部９毎に照明輝度を調整することができる。また、スリット部８によって照明領域４を完全に分割しているので、隣り合う発光部９同士のコントラストが高くなるという利点がある。【００６６】
また、上記導光板１にスリット部８を設けることで、発光部９の数だけ導光ブロック１Ａを横に並べる場合と比較して、部材点数を削減することができる。また、一枚の導光板で複数の発光部９を形成することができるので、生産性を向上させることができる。さらに、導光板１の接続枚数を低減させることができるので、配置が容易で、しかも、接続に要する時間と費用とを低減させることができる。【００６７】
なお、上記導光板１にスリット部８を設けることで、理想的には、発光部９を何エリアでも横に連ねた構造（言い換えれば、幾つもの導光ブロック１Ａを横に連ねた構造）を有する導光板を、１つの導光板で作製することが可能となる。【００６８】
しかしながら、大型化を目指すために、あまりにも多数の導光ブロック１Ａが一体化された構造を有する導光板１を作成した場合、導光板１が反り易くなったり、折れ易くなったりする。このため、１つの導光板の大きさには限界があり、横方向に連ねることができる発光部９の数には限界がある。【００６９】
このため、例えば導光板１が図４に示す形状を有している場合に、図４に示すように導光板１を横方向に複数枚並べることで大型化した場合、隣り合う導光板１・１間の発光部９・９間にはスリット部８が存在しないことから、スリット部８の大きさにもよるが、面内で光り方が不均一となる。【００７０】
そこで、本実施の形態では、図１に示したように、導光板１の照明領域４において発光部９が並ぶ方向の両端には、スリット部８に対向して、スリット部８の１／２の幅の切欠部８Ａ（切欠き）が設けられている。【００７１】
このように、導光板１の横方向の両端に切欠部８Ａを設けた場合、図１に示すように、隣り合う一方の光源ユニット２０の発光部９が並ぶ方向に他方の光源ユニット２０の発光部９が並ぶように複数の光源ユニット２０を並設すると、隣り合う導光板１・１間の発光部９・９間には、隣り合う導光板１に設けられた切欠部８Ａによって、各導光板１に設けられたスリット部８と同様のスリット部８が形成される。【００７２】
図１および図２の（ａ）・（ｂ）に示す例では、スリット部８の中央部分で導光板１を複数の導光ブロックに分割したとき、全導光ブロックが同じ形状を有している。つまり、各導光板１は、仕切りの中央部分で照明領域４を複数の領域に区分したときの各領域（つまり、発光部９およびその両側の２分割された仕切りを含む各領域）の形状が全て同じである。【００７３】
このため、各光源ユニット２０は、これら領域から出光する光の広がりがどの領域でも同じになる。このため、本実施の形態によれば、各光源ユニット２０を横に複数並べても、どの領域でも光り方が同じになるため、面内で均一な発光を行うことができる。それゆえ、隣接エリアへの光漏れを低減しながら導光ブロックの結合体としての強度を保つことができるとともに、各発光部９で光り方が均一な照明装置を得ることができる。【００７４】
上記導光板１は、射出成型、押出成型、熱プレス成型、または切削加工等によって形成することができる。但し、上記導光板１の形成方法は、これら成型方法には限定されず、同様の特性が得られる方法であれば、どのような加工方法でも適用が可能である。【００７５】
また、スリット部８および切欠部８Ａの形成方法も特に限定されるものではない。スリット部８および切欠部８Ａは、例えば金型によって導光板１の形成と同時に形成してもよいし、スリットおよび切欠きのない導光板１を形成した後、切削手段（切断手段）を用いて、後から形成してもよい。【００７６】
また、上記切削手段としても特に限定されるものではなく、例えば、ダイヤモンドカッター、ワイヤカッター、水カッター、ブレード、レーザ等、各種切断手段を適用することができる。なお、このように、スリットおよび切欠きのない導光板１を形成した後、切削手段を用いて上記導光板１にスリットおよび切欠きを形成する場合、スリットのない複数の導光板１を重ね合わせ、この重ね合わせた導光板１に一括してスリットおよび切欠きを形成してもよい。【００７７】
本実施の形態において、スリット部８の幅は、特に限定されるものではない。しかしながら、スリット部８および切欠部８Ａからは実質的に光が出射されない。このため、スリット部８および切欠部８Ａの幅は、小さければ小さいほど好ましい。スリット部８の幅は、好適には１ｍｍ以下となるように設定される。また、スリット部８の幅をｂとし、切欠部８Ａの幅をｃとすると、前記したように、切欠部８Ａの幅ｃは、ｃ＝１／２ｂであることが好ましい。【００７８】
但し、本実施の形態は、これに限定されるものではなく、図１に示すように、各光源ユニット２０を、隣り合う一方の光源ユニット２０の発光部９が並ぶ方向に他方の光源ユニット２０の発光部９が並ぶように複数の光源ユニット２０を並設したときに、並設された光源ユニット２０・２０間の発光部９・９間に、隣り合う光源ユニット２０に各々設けられた切欠部８Ａ・８Ａによってスリット部８と同様のスリット部が形成されるように各切欠部８Ａが設けられてさえいればよい。【００７９】
例えば、隣り合う一方の光源ユニット２０の切欠部８Ａが、スリット部８の幅の１／３の幅を有し、他方の光源ユニット２０の切欠部８Ａが、スリット部８の幅の２／３の幅を有していてもよい。隣り合う切欠部８Ａ・８Ａの幅を各々ｃ１、ｃ２とすると、次式（１）
ｃ１＋ｃ２＝ｂ…（１）
を満足すればよい。【００８０】
この場合、式（１）を満足するように各切欠部８Ａを形成してもよく、式（１）を満足するように隣り合う光源ユニット２０を組み合わせてもよい。【００８１】
さらに言えば、同じ導光板１の切欠部８Ａ・８Ａは、互いに同じ幅を有していてもよく、互いに異なっていても構わない。【００８２】
但し、隣り合う光源ユニット２０における各導光板１は、同じ側の切欠部８Ａが同じ幅を有し、かつ、両端の切欠部８Ａの幅を足した幅が、スリット部８の幅と等しくなるように形成されていることが好ましい。これにより、図１に示すように複数の光源ユニット２０を、導光領域３同士および照明領域４同士が隣り合うように同じ向きに並設したときに、式（１）を満たす照明装置を容易に得ることができることから好ましい。【００８３】
例えば各発光部９が左右に並ぶように導光板１を並べたとすると、各導光板１の照明領域４の右端には、各々ｃ１の幅の切欠部８Ａを形成するとともに、各導光板１の照明領域４の左端には、各々ｃ２の幅の切欠部８Ａを形成する。これにより、複数の光源ユニット２０を、図１に示すように同じ向きに、例えば一直線上に配置したときに、並設された光源ユニット２０・２０間の発光部９・９間に形成されるスリット部の幅は、必ず上記ｂとなる。【００８４】
また、切欠部８Ａの幅は、ｃ１＝ｃ２＝１／２ｂであることが、各光源ユニット２０を、一方の光源ユニット２０の発光部９が並ぶ方向に他方の光源ユニット２０の発光部９が並ぶように並設したときに、式（１）を満たす照明装置を容易に得ることができることから、より好ましい。【００８５】
なお、本実施の形態では、主に、複数の光源ユニット２０が、導光領域３同士および照明領域４同士が隣り合うように、同じ向きに並設された構成を例に挙げて説明した。しかしながら、本実施の形態はこれに限定されるものではなく、一方の光源ユニット２０の発光部９が並ぶ方向に他方の光源ユニット２０の発光部９が並ぶように並設されていれば、その向きは、必ずしも同じである必要はない。また、必ずしも一直線上に配置されている必要はない。【００８６】
また、光源２１から出射される光の光軸方向における導光領域３の長さは、光源２１から出射される光の光軸方向におけるデッドエリア７の長さ以上に設定されていることが望ましい。【００８７】
但し、導光領域３の長さが長くなれば長くなるほど導光板１が大型化（大面積化）する。また、導光領域３の長さによっては、光源２１から、該光源２１と同じ導光ブロック１Ａの発光部９に向けて出射された光が、導光領域３で拡散されることにより、隣接する発光部９にも一部入射されるおそれがある。このため、導光領域３の長さによっては、構造物６の配置や密度計算もしくは発光部９毎の輝度制御が複雑化するおそれがある。【００８８】
したがって、各光源ユニット２０における、隣り合う光源２１同士の照射領域が重なり合う領域には、スリット部８が設けられていることが好ましい。同様に、並設された光源ユニット２０の境界部分の光源２１同士の照射領域が重なり合う領域には、切欠部８Ａと隣り合う光源ユニット２０の導光板１とによって形成されるスリット部、あるいは隣り合う切欠部８Ａ・８Ａによって形成されるスリット部８が設けられていることが好ましい。好適には、隣り合う光源２１から出射された光（隣り合う光源２１同士の照射領域）が重なり合うまでの領域が導光領域３として用いられる。【００８９】
したがって、導光領域３の長さは、光源２１から放射される光の放射角度や導光板１の材料の屈折率、並びに、任意の光源２１の中心から隣り合う光源２１の中心までの距離や発光部９の幅に応じて、上記条件を満足するように適宜設定することが望ましい。【００９０】
例えば、導光板１を構成する透明樹脂の屈折率が１．４〜１．６の範囲内であり、光源２１による光の放射角度が４２〜４５度である場合、導光領域３の長さは、隣り合う光源２１から上記放射角度で放射された光の照射領域が重なり合うまでの領域が導光領域３となるように設定されていることが望ましい。【００９１】
すなわち、入光端面２を始点とした、光源２１から出射される光の光軸方向の長さを光軸方向長さと規定すると、導光領域３の光軸方向長さは、光源２１によるデッドエリア７の光軸方向長さ以上であり、かつ、入光端面２から、隣り合う光源２１の照射領域同士が交点する点までの光軸方向長さ以下であることが好ましい。言い換えれば、導光領域３の長さは、光源２１から出射され、発光部９内で放射状に拡がる光束の横断面の大きさが、導光領域３と照明領域４との境界の大きさ以上であることが好ましい。【００９２】
また、入光端面２からスリット部８および切欠部８Ａまでの光軸方向長さは、入光端面２から、隣り合う光源２１の照射領域同士が交差する点までの光軸方向の長さ以下であることが好ましい。【００９３】
次に、光源２１について、図５〜図７を参照して以下に説明する。【００９４】
図５〜図７は、各々、本実施の形態にかかる光源ユニット２０の概略構成を、該光源ユニット２０における光源２１を拡大して示す平面図である。【００９５】
上記光源２１は、例えばサイド発光タイプのＬＥＤ等の点状光源であり、各光源２１は、導光板１の入光端面２に、一列に並んで設けられている。上記光源２１は、導光板１の照明領域４の各発光部９に対して一対一で設けられている。【００９６】
この場合、各光源２１は、その中心位置が、各発光部９の中央軸の延長線上に配置されることが望ましい。これにより、光源２１から出射された光を、目的とする発光部９に隣り合う発光部９に入光することなく、目的とする発光部９に導光することができる。【００９７】
また、光源２１と導光板１とはできるだけ近接して配置されていることが好ましい。光源２１と導光板１とを近接あるいは接触して配置することにより、光源２１から導光板１への入光効率を向上させることができる。【００９８】
また、図５に示すように、光源２１として、Ｒ、Ｇ、Ｂの各色のＬＥＤチップ２２・２３・２４が１つのパッケージにモールドされているサイド発光タイプのＬＥＤを用いることによって、色再現範囲の広い光源ユニット２０を得ることが可能となる。【００９９】
但し、本実施の形態はこれに限定されるものではない。光源２１としては、図６に示すように、Ｒ、Ｇ、Ｂの各ＬＥＤチップ２２・２３・２４が、各々個別のパッケージにモールドされているＬＥＤを組み合わせて使用してもよい。【０１００】
各色のＬＥＤチップ２２・２３・２４を組み合わせて使用する場合、各色のＬＥＤチップ２２・２３・２４を混色させて白色の光を得るためには、各色の光を十分に拡散する必要がある。【０１０１】
本実施の形態によれば、前記したように、光源２１と照明領域４との間に導光領域３を備えていることで、各色の光を十分に混色（混光）することができる。したがって、均一な白色光を得ることができる。なお、各ＬＥＤチップ２２・２３・２４の光度並びに配置順は特に限定されるものではない。【０１０２】
また、光源２１としては、図７に示すように、１つのＬＥＤチップから白色発光するＬＥＤ（白色発光素子）を使用することもできる。白色発光素子としては、例えば、青色ＬＥＤと黄色発光蛍光体とを組み合わせてなる白色発光素子が挙げられるが、これに限定されるものではない。【０１０３】
なお、本実施の形態においては、主に、図３に示すように、導光板１として、導光領域３と照明領域４とが（略）均一な厚みを有する板状の導光板を用いた場合を例に挙げて説明した。しかしながら、導光板１の形状はこれに限定されるものではない。【０１０４】
図８は、図２の（ａ）に示す光源ユニット２０における導光板１の形状の他の一例を、図２の（ａ）に示す光源ユニット２０のＢ−Ｂ線矢視断面にて示す図である。【０１０５】
図８に示す光源ユニット２０における導光板１は、導光領域３と照明領域４とが表裏面とも面一で段差がなく、かつ、厚さ（発光面５と垂直な方向の導光板１の幅）が、光源２１からの距離が大きくなるにしたがって小さくなるように形成された形状を有している。【０１０６】
すなわち、図８に示す導光板１は、裏面が表面に対して傾斜し、光源２１から出射される光の光軸方向に沿った断面がテーパ状を有する、いわゆる楔形を有している。【０１０７】
上記したように、導光板１の厚さ（特に、照明領域４における導光板１の厚さ）が、光源２１からの距離が大きくなるにしたがって小さくなるように導光板１が形成されていることで、光源２１からの距離が大きくなるにしたがって、構造物６によって散乱・反射される光の割合（確率）を増加させることができる。【０１０８】
このため、図８に示す導光板１によれば、光源２１からの距離が大きくなるにしたがって光源２１から到達する光量が少なくなるにも拘らず、照明領域４における、光源２１から相対的に遠い領域においても、相対的に近い領域と同程度の強度の発光を得ることができる。したがって、輝度のさらなる均一化を図ることができる。【０１０９】
また、導光板１の裏面が表面に対して傾斜し、これにより、光源２１から出射される光の光路上に、照明領域４の裏面に設けられた構造物６が位置していることで、導光領域３を経て照明領域４に入射された光は、上記構造物６によって効率良く散乱・反射される。【０１１０】
上記導光板１の厚みは特に限定されるものではないが、例えば、最も厚さの大きい部分が約１〜２ｍｍ、最も厚さの小さい部分が０．６〜１．２ｍｍの範囲内で設定される。【０１１１】
図９は、図２の（ａ）に示す光源ユニット２０における導光板１の形状のさらに他の一例を、図２の（ａ）に示す光源ユニット２０のＢ−Ｂ線矢視断面にて示す図である。また、図１０は、図９に示す導光板１を各々異なる角度から見たときの該導光板１の形状を並べて示す斜視図であり、図１１は、図９に示す導光板１の正面図、左側面図、平面図、右側面図を並べて示す図である。【０１１２】
図９〜図１１に示す導光板１は、図８に示す導光板１同様、照明領域４における導光板１の厚さが、好適には、光源２１からの距離が大きくなるにしたがって小さくなるように形成されている。このため、図９〜図１１に示す導光板１もまた、照明領域４における、光源２１から相対的に遠い領域においても、相対的に近い領域と同程度の強度の発光を得ることができる。したがって、輝度のさらなる均一化を図ることができる。【０１１３】
図９〜図１１に示す導光板１の発光面５は水平であるが、導光領域３と照明領域４との間には段差部１１が設けられ、上記照明領域４は、導光領域３よりも発光面５側に突出している。このため、上記導光板１は、段差部１１を境に、導光領域３と照明領域４とが区分されている。【０１１４】
一方、上記導光領域３の裏面と照明領域４の裏面とは面一になっている。これにより、光の直線性（直進性）を妨げず、無理な屈曲無しに、光源２１から出射された光を照明領域４に導光することができる。【０１１５】
また、図９〜図１１に示す導光板１もまた、図８に示す導光板１同様、導光板１の裏面が、照明領域４における発光面５に対して傾斜し、光源２１から出射される光の光路上に、照明領域４の裏面に設けられた構造物６が位置している。したがって、導光領域３を経て照明領域４に入射された光は、上記構造物６によって効率良く散乱・反射される。【０１１６】
図９〜図１１に示す導光板１は、該導光板１が、上記形状を有していること（特に、照明領域４における導光板１の厚さが、光源２１からの距離が大きくなるにしたがって小さくなるように形成されており、かつ、導光領域３と照明領域４との間に段差部１１が設けられていること）で、各導光板１の発光面５同士が面一になるように複数枚ずらし重ねることができる。但し、本実施の形態はこれに限定されるものではなく、図３および図８に示す導光板１もまた、タンデムさせて用いることが可能である。【０１１７】
図１２の（ａ）は、図１に示す各光源ユニット２０を部分的にずらし重ねてなるタンデム型の照明装置の概略構成を示す平面図であり、図１２の（ｂ）は、図１２の（ａ）に示す照明装置のＣ−Ｃ線矢視断面図である。【０１１８】
図１２の（ａ）・（ｂ）に示す照明装置３０（照明装置Ｌ）は、上記光軸方向に部分的にずらし重ねた複数の光源ユニット２０群を、さらに、上記光軸方向に垂直な方向に並列させた構造を有している。【０１１９】
図９〜図１１に示す導光板１は、図１２の（ａ）・（ｂ）に示すように、本実施の形態にかかる照明装置Ｌとしてタンデム型の照明装置３０を形成する場合に、図１２の（ｂ）に示すように該照明装置３０の厚みを増加させること無くずらし重ねることができるとともに、各導光板１における照明領域４のみを被照射物における被照射面に対向配置させることができる。【０１２０】
また、図９〜図１１に示す導光板１を用いれば、図１２の（ｂ）に示すように各導光板１の先端面１２を段差部１１に当接させることで、上記照明装置３０を容易に組み立てることができる。【０１２１】
なお、段差部１１は、図１に示したように、導光板１を同一平面上にのみ並べて使用する場合には不要であり、必ずしも設ける必要はない。しかしながら、このような場合でも、図９〜図１１に示すように導光領域３と照明領域４との間に段差部１１が設けられていることで、照明領域４と被照射物における被照射面とを対向配置させるときの位置合わせ並びに光源２１の位置決めを容易に行うことができる。【０１２２】
なお、段差部１１の大きさおよび先端面１２の厚み、並びに導光領域３上面の傾斜角度は、導光板１の先端面１２が、隣接する導光板１の段差部１１に当接するように導光板１を隣接する導光板１上に載置したときに、両導光板１の発光面５同士が面一になるように設けられてさえいれば、特に限定されるものではない。【０１２３】
但し、光の散乱方向を制御する観点から、照明領域４における導光領域３とは反対側の端部（以下、「先端部」と記す）において、実使用上、問題のない強度が得られさえすれば、段差部１１の高さはできるだけ小さいことが好ましい。段差部１１の高さは、例えば０．６ｍｍとすることができる。但し、これらの数値は、あくまでも一例であって、本実施の形態は、これによって制限されるものではない。【０１２４】
なお、導光板１は、例えば、図８に示す導光板１の導光領域３に段差部１１を設けた形状並びに大きさとすることができる。【０１２５】
また、図１２の（ａ）・（ｂ）に示す照明装置３０では、光源ユニット２０を、光源２１から出射される光の光軸方向に５枚重ねたものを、該光軸方向に垂直な方向に２つ並列させて配置している。しかしながら、このように光源ユニット２０を複数重ね合わせる場合、重ね合わせる光源ユニット２０の枚数は２枚以上であればよく、並列させる光源ユニット２０の枚数も２枚以上であればよい。【０１２６】
このように、光源ユニット２０を、第Ｎ−１段目、第Ｎ段目、…（Ｎ≧２）と部分的に重ね合わせることにより、光源２１から出射される光の光軸方向の領域数を増加させることができる。この結果、発光部９の数を二次元的に増やすことができる。このため、１枚の導光板１のサイズに関係なく、照明装置３０の発光面ＬＡとして、連続した広い発光領域を実現することができる。【０１２７】
また、発光面積を増やす場合、ある程度のサイズ以上になると、１枚の導光板１を長くするよりも、短い導光板１を複数並べる方が、構造上、簡易で、かつ強度を高めることができる。【０１２８】
上記したように光源ユニット２０を部分的にずらし重ねる場合、図１２の（ｂ）に示すように、第ｋ段目（ｋ＝１、…、Ｎ−１；但しＮ≧２）の光源ユニット２０を光源ユニットＢＬＵ（ｋ）とし、該光源ユニットＢＬＵ（ｋ）の導光板１および光源２１（一次光源）を、各々、導光板ＬＧ（ｋ）、光源ＢＬ（ｋ）とすると、第ｋ段目（ｋ＝１、…、Ｎ−１）の光源ユニットＢＬＵ（ｋ）の導光板ＬＧ（ｋ）の背面側（裏面側）に、第ｋ＋１段目の光源ユニットＢＬＵ（ｋ＋１）の導光板ＬＧ（ｋ＋１）に一次光を供給するための第ｋ＋１段目の光源ＢＬ（ｋ＋１）を配置し、導光板ＬＧ（ｋ）と光源ＢＬ（ｋ＋１）との間に、光源ＢＬ（ｋ＋１）から導光板ＬＧ（ｋ）への光供給を遮断するための遮光体３１（遮光部材）が配置されていることが好ましい。【０１２９】
このように導光板ＬＧ（ｋ）と光源ＢＬ（ｋ＋１）との間、例えば図１２の（ｂ）に示すように重なり合う導光板ＬＧ（ｋ）・ＬＧ（ｋ＋１）間に、遮光体３１を挟むことにより、光源ＢＬ（ｋ＋１）から対応する導光板ＬＧ（ｋ＋１）に入射せずに漏れた光が、該光源ＢＬ（ｋ＋１）に重なり合う導光板ＬＧ（ｋ）に入射されることを防止することができる。【０１３０】
また、導光板ＬＧ（ｋ）の裏面に、遮光体３１として、拡散反射シート等の反射シートが設けられていることで、導光板ＬＧ（ｋ）内を導光する光を、十分に混光させることができる。この場合、混色性を向上させることができる。【０１３１】
また、遮光体３１は、正反射シートのように遮光性が高い反射シートと、拡散反射シートのように反射性が高い反射シートとの２種類の反射シートからなることが好ましい。これにより、より高い効果を得ることができる。【０１３２】
なお、導光領域３から照明領域４に効率よく光を導光する上で、導光領域３には、前記したように、シボ加工等の処理や加工は施されていないことが望ましい。しかしながら、図１２の（ｂ）に示すように導光領域３の表裏面に反射シート等の遮光体３１が設けられている場合等、導光領域３から外部に光が出射しなければ、照明領域４のみならず導光領域３にも、シボ加工等の前記処理や加工が施されていても構わない。【０１３３】
例えば、図１２の（ｂ）に示すように導光領域３と照明領域４との間に段差部１１が設けられている場合、段差部１１の大きさにもよるが、発光面５における段差部１１近傍から出射される光の強度が低下するおそれを回避するために、図１２の（ｂ）に示すように、導光領域３から外部に光が出射しないための措置を講じた上で、導光領域３における照明領域４との境界部にもシボ加工等の処理や加工を施しても構わない。【０１３４】
本実施の形態によれば、上記した何れの照明装置Ｌにおいても、各発光部９に対応する光源２１の光量を独立して調整することにより、各発光部９から放射される光の量（発光強度）を独立して調整することができる。【０１３５】
なお、光源２１の照明光量を制御するための制御回路（制御手段）は、照明装置Ｌ自体が備えていてもよく、照明装置Ｌとは別体に設けられていてもよい。【０１３６】
図１３は、本実施の形態にかかる照明装置Ｌの主要部の構成の一例を示すブロック図である。【０１３７】
上記照明装置Ｌは、光源２１および導光板１からなる光源ユニット２０と、上記制御回路としての点灯制御回路３４とを備えている。なお、光源ユニット２０の具体的な構成については前記した通りであり、図１３では、光源ユニット２０の具体的な構成については図示を省略する。【０１３８】
光源ユニット２０は、発光部９として、複数（例えばＱ個；Ｑ≧２）の分割照明領域を有している。【０１３９】
点灯制御回路３４は、複数の発光部９の各々の発光強度に応じて光源２１の照明光量を制御する。光源２１としては、例えば、前記ＬＥＤが用いられる。【０１４０】
点灯制御回路３４には、発光部９毎に、ある特定周期で発光量を制御する照射信号が入力される。【０１４１】
点灯制御回路３４は、照射信号が指定する発光量に応じて、対応する光源２１の単位時間当たりの点灯期間（照明期間）と消灯期間（非照明期間）との比率を変更することで照明光強度を制御する。すなわち、明るく発光するフレーム期間では光源２１の照明期間を長くし、暗く発光するフレーム期間では光源２１の照明期間を短く制御する。【０１４２】
制御信号の入力周期をＨ、最大光量をＷｍａｘ、あるタイミングにおける制御信号の指定光量をＷとすると、光源２１の点灯期間Ｔは、Ｔ＝Ｈ×（Ｗ／Ｗｍａｘ）で表される。上記制御を発光部９毎に行うことにより、全発光部９の発光量を独立調整することができる。【０１４３】
以上のように、点灯制御回路３４は、光源２１の単位時間当たりの照明期間と非照明期間との比率を変更することにより照明光強度を制御している。すなわち、点灯制御回路３４は、発光時の光量が一定であり、発光時間を調節することで、発光部９毎に光源２１の発光量（照明光量）を調節して発光強度を独立に調整している。なお、本実施の形態では、光源２１の発光量の調整は、上記したように光源２１を点滅させることにより行われる。また、各発光部９の照明光強度は、エリア発光を白黒のみ行うことで、白色調整されていてもよいし、エリア発光をＲ、Ｇ、Ｂ毎に行うことで、Ｒ、Ｇ、Ｂの３色で独立調整されていてもよい。【０１４４】
なお、本実施の形態では、上記したように、主に、各光源２１が、各発光部９に対して一対一で設けられている場合について説明した。このように各光源２１が、各発光部９に対して一対一で設けられている場合、制御が容易であり、また、照明領域４を細分化することができる。しかしながら、本実施の形態は、これに限定されるものではなく、図１４に示すように、各発光部９に対応して複数の光源２１が設けられていても構わない。【０１４５】
例えば、発光領域（発光面ＬＡあるいは各発光部９の面積）を広げる場合、１つの発光部９に対し１つの光源２１では光量が十分でない場合、２つ以上の光源２１で１つの発光部９を照射してもよい。すなわち、光源２１は、各発光部９に対し、少なくとも１つ設けられていればよい。【０１４６】
なお、上記したように各発光部９に対して複数の光源２１を設ける場合、各光源２１は、各発光部９において各々均等に配置されていることが好ましい。【０１４７】
また、本実施の形態では、上記したように、光源２１が導光板１の一端面に設けられている場合を例に挙げて説明したが、本実施の形態はこれに限定されるものではない。【０１４８】
光は直線性が高く、その利用効率の観点からすれば、光源２１、導光領域３、および照明領域４は、一直線上に設けられていることが望ましく、光源２１は、導光板１の一端面に設けられていることが好ましい。これにより、無理な屈曲無しに、光源２１から出射された光を照明領域４に導光することができる。【０１４９】
しかしながら、光源２１から出射された光が導光領域３を介して照明領域４に導光されさえすれば、光源２１は、導光板１の下面における導光領域３との対向位置に設けられていてもよい。【０１５０】
例えば、導光板１における導光領域３の端部を湾曲させたり、導光板１の端部に図示しない反射体を導光板１の下面側に折り返すように設け、この反射体に内包されるように光源２１を設けたりすることで、導光板１の下面側の端部あるいはその近傍に光源２１を設ける構成としても構わない。【０１５１】
また、本実施の形態では、光源２１として点状光源を用いる場合を例に挙げて説明したが、本実施の形態はこれに限定されるものではない。【０１５２】
光源２１が点状光源である場合、小型化並びに照明領域４の細分化が容易であるという利点がある。また、光源２１が点状光源である場合、光源２１から出射される光が放射状に拡がるため、上記したように導光領域３が、導光部３Ａを連結した構造を有していても、光が光源２１に対し横方向に漏れ難い。このため、導光領域３を介して隣接する導光ブロック１Ａに光が漏れることを、容易かつ確実に防止することができる。【０１５３】
しかしながら、線状光源の大きさや発光部９の大きさ、並びに、後述する実施の形態に示すように仕切りの長さや種類を工夫することで、光源２１として線状光源を使用することも可能である。すなわち、光源２１としては、点状光源を用いることが望ましいが、必ずしも点状光源である必要はなく、各発光部９に対応して線状光源を設ける構成としても構わない。【０１５４】
なお、各光源ユニット２０は、輝度均一性を高めるために、一方の光源ユニット２０の照明領域４に他方の光源ユニット２０の導光領域３が重なることで、各光源ユニット２０の発光面５によって面一の発光領域（発光面ＬＡ）が形成されるようにタンデムされることが好ましい。しかしながら、本実施の形態はこれに限定されるものではない。【０１５５】
例えば隣り合う各光源ユニット２０は、一方の光源ユニット２０の照明領域４と、他方の光源ユニット２０の照明領域４との間に、一方の光源ユニット２０の導光領域３が露出するように、一方の光源ユニット２０の照明領域４と、他方の光源ユニット２０の照明領域４とが、離間して設けられていてもよい。また、一方の光源ユニット２０の照明領域４と、他方の光源ユニット２０の照明領域４との間に段差がある構成を有していても構わない。但し、導光領域３からは実質的に光が出射されないため、各光源ユニット２０は、各照明領域４ができるだけ近接して配置されるようにタンデムされることが望ましい。【０１５６】
また、本実施の形態では、図１２の（ａ）・（ｂ）に示したように、隣り合う各光源ユニット２０が、各光源ユニット２０における仕切りが一直線上に位置するようにタンデムする場合を例に挙げたが、本実施の形態は、必ずしもこれに限定されるものではない。【０１５７】
例えば各光源ユニット２０は、隣り合う光源ユニット２０に対し、各発光部９が横方向にずれるように（つまり、隣り合う導光板１の仕切りが一直線上に位置しないように）重ね合わされていてもよい。例えば、各発光部９は、モザイク状に配置されるように重ね合わされていてもよい。【０１５８】
また、本実施の形態では、上記仕切り（スリット部８および切欠部８Ａ）が、発光部９の端から端まで連続して設けられている場合を例に挙げて説明したが、これら仕切りは、連続的に設けられていてもよく、断続的に設けられていてもよい。【０１５９】
〔実施の形態２〕
本実施の形態について、主に図１５の（ａ）・（ｂ）に基づいて説明すれば、以下の通りである。なお、本実施の形態では、前記実施の形態１との相違点について説明するものとし、前記実施の形態１と同様の機能を有する構成要素には同一の番号を付し、その説明を省略する。【０１６０】
図１５の（ａ）は本実施の形態にかかる照明装置Ｌの要部の概略構成を示す平面図であり、図１５の（ｂ）は、図１５の（ａ）に示す照明装置Ｌにおける導光板１のＤ−Ｄ線矢視断面図である。【０１６１】
本実施の形態にかかる照明装置Ｌは、導光板１に、光の透過を制限する仕切りとして、図２の（ａ）・（ｂ）に記載のスリット部８に代えて、溝部１３（溝）が設けられている。すなわち、本実施の形態にかかる導光板１は、スリット部８の代わりに溝部１３によって照明領域４が複数の発光部９に区切られた構造を有している。【０１６２】
なお、本実施の形態でも、導光板１の導光領域３は繋がっているが、照明領域４には、光源２１から出射される光の光軸方向に平行に、照明領域４の端から端まで溝部１３が形成されている。【０１６３】
また、導光板１の照明領域４における発光部９が並ぶ方向の両端には、溝部１３に対向して、溝部１３の１／２の幅の溝部１３Ａが設けられている。これにより、上記照明装置Ｌは、図１５の（ａ）・（ｂ）に示すように、同一平面において隣り合う導光板１・１間の発光部９・９間に、隣り合う導光板１に設けられた溝部１３Ａによって、各導光板１に設けられた溝部１３と同様の溝部１３が形成されている構成を有している。【０１６４】
このため、各導光板１は、溝部１３の中央部分で導光板１を複数の導光ブロックに分割したとき、全導光ブロックが同じ形状を有している。つまり、各導光板１は、各々、仕切りの中央部分で照明領域４を複数の領域に区分したときの各領域の形状が全て同じである。【０１６５】
このため、本実施の形態でも、光源ユニット２０を横に複数並べた場合、どの領域でも光り方が同じになる。このため、隣接エリアへの光漏れを低減しながら導光ブロックの結合体としての強度を保つことができるとともに、面内で均一な発光を行うことができる照明装置を得ることができる。【０１６６】
なお、本実施の形態でも、隣り合う溝部１３Ａ・１３Ａの幅を各々ｃ１、ｃ２とすると、前記式（１）を満足することが好ましく、ｃ１＝ｃ２＝１／２ｂであることがより好ましい。【０１６７】
なお、本実施の形態でも、図１５の（ａ）・（ｂ）に示すように、図２の（ａ）・（ｂ）に示す導光板１同様、照明領域４が６つの領域に区切られているが、溝部１３を少なくとも１つ設けることで２つ以上の領域に区切られていれば、領域数は特に限定されない。また、溝部１３によって区切られた各発光部９の大きさも特に限定されない。【０１６８】
上記導光板１の端面に設けられた各光源２１は、溝部１３で区切られた各発光部９に対応するように、各発光部９に対して例えば一対一で設けられている。各光源２１から出射された光は、溝部１３で区切られた各発光部９に導光される。【０１６９】
上記したように照明領域４に溝部１３が形成されていることで、溝部１３による反射が発生する。溝部１３により反射されなかった光、並びに、溝部１３の真下の領域を通った一部の光は、隣の発光部９に漏れるが、ある一定の割合で、目的とする発光部９内に導光された光を閉じ込めることが可能である。【０１７０】
溝部１３を設けない場合には、該溝部１３に相当する領域に入射した光は全て該領域を透過する。このため、溝部１３を設けることで、各光源２１から出射された光の出射領域を制限することができる。したがって、本実施の形態でも、各発光部９に対応する光源２１の光量を独立して調整することにより、各発光部９から放射される光の量を独立して調整することが可能となる。このため、本実施の形態でも、発光部９毎に、照明輝度を調整することが可能であり、１つの導光板でありながら独立した複数の発光部９を有する導光板１を提供することができる。【０１７１】
また、前記実施の形態１に示したように完全に照明領域４を分割すると、隣り合う発光部９同士のコントラストが高くなるメリットがあるが、この場合、発光部９同士の境界がくっきりするため、境界線が目立つことになる。しかしながら、上記したように、各発光部９を溝部１３によって区分することで、発光部９同士の境界をぼかすことができる。【０１７２】
しかも、本実施の形態によれば、実施の形態１とは異なり、発光部９同士の境界部に導光板１の表裏面を貫通する隙間が設けられておらず、隣り合う発光部９同士が上記境界部における導光板１の底面で繋がっているため、強度が高く、構造が頑丈であるという利点がある。【０１７３】
なお、本実施の形態でも、導光板１の形成方法並びに溝部１３の形成方法は特に限定されるものではなく、例えば、前記実施の形態１と同様の方法を用いることができる。また、溝部１３を形成するために導光板１を切削（穿孔）するための切削手段も特に限定されるものではなく、例えば、前記実施の形態１と同様の切削手段を用いることができる。【０１７４】
なお、本実施の形態でも、上記境界部（本実施の形態では溝部１３の上面に相当する領域）から出射される光の量は制限される。このため、溝部１３の幅は、小さければ小さいほど好ましい。溝部１３の幅は、特に限定されるものではないが、好適には１ｍｍ以下となるように設定される。また、溝部１３の深さは、目的とする発光部９内に導光された光を閉じ込める効果と形状強化（強度）とのバランスの観点、あるいは、発光部９同士の境界をぼかす効果と、隣り合う発光部９同士のコントラストと、形状強化とのバランスの観点から、所望の効果が得られるように適宜設定すればよく、特に限定されるものではない。【０１７５】
溝部１３は、導光板１の表面側に形成されていてもよく、裏面側に形成されていてもよい。溝部１３を導光板１の表面および裏面の何れの面に形成するかは、隣り合う発光部９同士のコントラストと発光部９同士の境界をぼかす効果とのバランス、あるいは表示の均一性の観点から、所望の効果が得られるように適宜設定すればよく、特に限定されるものではない。【０１７６】
また、本実施の形態において、溝部１３は、凹形状であってもよく、Ｖ字溝であってもよく、いわゆる切欠きであってもよい。また、溝部１３は、微細なクラックによるものであっても構わない。【０１７７】
〔実施の形態３〕
本実施の形態について、主に図１６の（ａ）・（ｂ）および図１７の（ａ）・（ｂ）に基づいて説明すれば、以下の通りである。なお、本実施の形態では、前記実施の形態１、２との相違点について説明するものとし、前記実施の形態１、２と同様の機能を有する構成要素には同一の番号を付し、その説明を省略する。【０１７８】
図１６の（ａ）は本実施の形態にかかる照明装置Ｌの要部の概略構成を示す平面図であり、図１６の（ｂ）は、図１６の（ａ）に示す照明装置Ｌにおける導光板１のＥ−Ｅ線矢視断面図である。また、図１７の（ａ）は本実施の形態にかかる他の照明装置Ｌの概略構成を示す平面図であり、図１７の（ｂ）は、図１７の（ａ）に示す照明装置Ｌにおける導光板１のＦ−Ｆ線矢視断面図である。【０１７９】
本実施の形態にかかる照明装置Ｌは、光の透過を制限する仕切りとして、散乱物質（光散乱物質）からなる仕切りを用いている。より具体的には、本実施の形態では、図１６の（ａ）・（ｂ）または図１７の（ａ）・（ｂ）に示すように照明領域４に、散乱部材１４からなる散乱領域が、光源２１から出射される光の光軸方向に平行に設けられている。散乱部材１４としては、例えば、散乱壁等が挙げられる。なお、散乱部材１４には、指向性散乱部材（反射部材）も含まれる。【０１８０】
なお、本実施の形態でも、導光板１の導光領域３は繋がっているが、散乱部材１４は、照明領域４の端から端まで設けられている。【０１８１】
また、導光板１の照明領域４における発光部９が並ぶ方向の両端には、散乱部材１４に対向して、散乱部材１４の１／２の幅の散乱部材１４Ａが設けられている。これにより、上記照明装置Ｌは、図１６の（ａ）・（ｂ）に示すように、同一平面において隣り合う導光板１・１間の発光部９・９間に、隣り合う導光板１に設けられた散乱部材１４Ａによって、各導光板１に設けられた散乱部材１４と同様の散乱部材１４が形成されている構成を有している。【０１８２】
このため、各導光板１は、散乱部材１４の中央部分で導光板１を複数の導光ブロックに分割したとき、全導光ブロックが同じ形状を有している。つまり、各導光板１は、各々、仕切りの中央部分で照明領域４を複数の領域に区分したときの各領域の形状が全て同じである。【０１８３】
このため、本実施の形態でも、光源ユニット２０を横に複数並べた場合、どの領域でも光り方が同じになる。このため、隣接エリアへの光漏れを低減しながら導光ブロックの結合体としての強度を保つことができるとともに、面内で均一な発光を行うことができる照明装置を得ることができる。【０１８４】
なお、本実施の形態でも、隣り合う散乱部材１４Ａ・１４Ａの幅を各々ｃ１、ｃ２とすると、前記式（１）を満足することが好ましく、ｃ１＝ｃ２＝１／２ｂであることがより好ましい。【０１８５】
なお、本実施の形態でも、図１６の（ａ）・（ｂ）または図１７の（ａ）・（ｂ）に示すように、照明領域４が６つの領域に区切られているが、散乱部材１４を少なくとも１つ設けることで２つ以上の領域に区切られていれば、領域数は特に限定されない。また、散乱部材１４によって区切られた各発光部９の大きさも特に限定されない。【０１８６】
上記導光板１の入光端面２に設けられた各光源２１は、散乱部材１４で区切られた各発光部９に対応するように、各発光部９に対して例えば一対一で設けられている。各光源２１から出射された光は、散乱部材１４で区切られた各発光部９に導光される。各光源２１は、例えば、その中心位置が、各発光部９の中央軸の延長線上に位置するように配置されている。【０１８７】
上記したように各発光部９の境界部分に散乱部材１４が設けられていることで、一部の光は隣の発光部９に漏れるが、ある一定の割合で、目的とする発光部９内に導光された光を閉じ込めることが可能である。【０１８８】
散乱部材１４を設けない場合には、該散乱部材１４に相当する領域に入射した光は全て該領域を透過する。このため、散乱部材１４を設けることで、各光源２１から出射された光の出射領域を制限することができる。したがって、本実施の形態でも、各発光部９に対応する光源２１の光量を独立して調整することにより、各発光部９から放射される光の量を独立して調整することが可能となる。【０１８９】
しかも、本実施の形態によれば、図１６の（ａ）・（ｂ）または図１７の（ａ）・（ｂ）に示すように、隣り合う発光部９同士が散乱部材１４を介して繋がっているため、実施の形態１、２よりも強度が高く、構造が頑丈である。このため、導光板１の形状が安定化する。【０１９０】
なお、本実施の形態でも、導光板１の形成方法並びに散乱部材１４の形成方法は特に限定されるものではなく、例えば、前記実施の形態１、２と同様の方法を用いることができる。【０１９１】
本実施の形態にかかる光源ユニット２０の一つの例としては、例えば、図１６の（ａ）・（ｂ）に示すように、図２の（ａ）・（ｂ）に記載のスリット部８に散乱物質が導入（例えば充填）されている構成、あるいは、図１７の（ａ）・（ｂ）に示すように、図１５の（ａ）・（ｂ）に記載の溝部１３に散乱物質が導入されている構成が挙げられる。【０１９２】
散乱部材１４は、例えば金型もしくは切削手段を用いて導光板１にスリット部８あるいは溝部１３を形成した後、該スリット部８あるいは溝部１３に、散乱物質を単独で、あるいはベース樹脂に混合して、充填する方法；金型を使用して導光板１を形成するに際し、導光板１の材料である透明樹脂が硬化する前に該透明樹脂に散乱部材１４を埋め込む方法；あるいは、多色成形（例えば二色成形）；等によって形成することができる。【０１９３】
上記散乱物質としては、光を散乱することができるものであれば、特に限定されるものではなく、従来公知の散乱物質を用いることができる。上記散乱物質としては、例えば酸化チタンやシリカ等の顔料を用いることができる。これら散乱物質のなかでも、酸化チタンやシリカ等、光吸収が少ない材料が好適である。【０１９４】
上記散乱物質は、例えば、導光板１の材料である透明樹脂に混合して用いることができる。散乱物質を、ベース樹脂としての上記透明樹脂に混合して用いる場合、散乱部材１４における上記散乱物質の含有量（すなわち、上記透明樹脂に対する散乱物質の混合割合）は、特に限定されるものではなく、所望の効果が得られるように適宜設定すればよい。【０１９５】
また、境界線をぼかす目的、あるいは、散乱部材１４によって散乱されて出射する光の出射角を制御し、出射効率を向上させる等の目的で、散乱部材１４の基部側と頂部側（例えば溝部１３の底部と頂部）とで、散乱部材１４に含まれる散乱物質の割合を変更しても構わない。【０１９６】
また、散乱部材１４の幅並びに高さ、すなわち、散乱物質が導入されているスリット部８あるいは溝部１３の幅並びに高さは、前記実施の形態１、２と同様に設定すればよい。【０１９７】
なお、本実施の形態では、上記したように、上記仕切りとして、主に、散乱物質を含む散乱部材１４が設けられている場合を例に挙げて説明した。しかしながら、本実施はこれに限定されるものではなく、上記散乱領域と他の領域との境界部が明確に区分されていなくても構わない。【０１９８】
また、上記散乱物質に代えて、遮光体を設けることによっても、同様の効果を得ることができる。上記遮光体としては、遮光性を有していれば特に限定されるものではなく、例えば、従来公知の遮光体を用いることができる。【０１９９】
また、これらの仕切りは、上記したように導光板１の表裏面を貫通するように設けられていてもよく、導光板１の表裏面を貫通しないように導光板１の表面から裏面に向かって設けられていてもよい。また、上記仕切りは、導光板１の表裏面を貫通しないように導光板１の裏面から表面に向かって設けられていてもよく、導光板１の内部にのみ設けられていてもよい。【０２００】
〔実施の形態４〕
本実施の形態について、主に図１８に基づいて説明すれば、以下の通りである。なお、本実施の形態では、前記実施の形態１〜３との相違点について説明するものとし、前記実施の形態１〜３と同様の機能を有する構成要素には同一の番号を付し、その説明を省略する。【０２０１】
図１８は、本実施の形態にかかる照明装置Ｌの要部の概略構成を示す平面図である。【０２０２】
本実施の形態にかかる照明装置Ｌは、図１８に示すように、前記実施の形態１同様、照明領域４に、光源２１から出射される光の光軸方向に平行に、照明領域４の端から端までスリット部８および切欠部８Ａが設けられている。【０２０３】
本実施の形態にかかる照明装置Ｌは、上記スリット部８および切欠部８Ａが、導光領域３の一部に延設されている点で、前記実施の形態１と異なっている。【０２０４】
上記導光板１の導光領域３は繋がっているが、照明領域４に設けられたスリット部８が、導光領域３の一部にまで延設されているため、照明領域４が複数の領域に区切られているのみならず、導光領域３も部分的に複数の領域に区切られている。【０２０５】
このため、本実施の形態にかかる導光板１は、図２の（ａ）に示した導光ブロック１Ａの隣り合う導光部３Ａ同士が部分的に繋がった導光領域３を備えているに等しい構成を有している。また、図示しないが、本実施の形態にかかる光源ユニット２０は、図２の（ａ）に示した導光ブロック１Ａと光源２１とからなる光源ブロック２０Ａが、上記したように導光部３Ａの一部で複数繋がった構成を有している。【０２０６】
このように、本実施の形態にかかる照明装置Ｌは、導光領域３の一部に、照明領域４に繋がるスリット部８および切欠部８Ａが形成されていることで、前記実施の形態１に記載の効果（利点）に加えて、各光源２１から出射された光が、該光源２１と同じ光源ブロック以外の光源ブロック（特に、同じ光源ブロックにおける発光部９以外の領域）に漏れ難いという効果を有している。【０２０７】
前記したように、隣り合う光源２１同士の照射領域が重なり合う領域にはスリット部８が設けられていることが好ましい。また、並設された光源ユニット２０の境界部分の光源２１同士の照射領域が重なり合う領域にも、隣り合う光源ユニット２０・２０の切欠部８Ａ・８Ａによって形成されるスリット部８が設けられていることが好ましい。【０２０８】
このように導光領域３の一部にもスリット部８および切欠部８Ａが形成されていることで、各光源２１から出射された光を、導光領域３で十分に拡散させることができるとともに、各光源２１から出射された光を、目標とする発光部９に効率良く導光して閉じ込めることができる。したがって、上記の構成によれば、発光部９毎の輝度制御並びに輝度の均一化が容易である。【０２０９】
ここで、図１８を参照して、導光板１におけるスリット部８および切欠部８Ａの好ましい長さについて説明する。【０２１０】
なお、各導光板１におけるスリット部８の好適な条件と、各導光板１に設けられた切欠部８Ａによって形成されるスリット部８の好適な条件とは同じである。このため、以下の説明では、スリット部８を例に挙げて説明するものとするが、スリット部８と同じ条件が、切欠部８Ａ、より厳密には切欠部８Ａによって形成されるスリット部８にも好適に適用される。【０２１１】
上記したように、隣り合う光源２１同士の照射領域が重なり合う領域にはスリット部８が設けられていることが好ましい。スリット部８は、図１８に示すように、照明領域４において、隣り合う発光部９に対して設けられた光源２１から入射した光が交差する点を含むことが望ましい。また、スリット部８の光源２１側の端部は、図１８に示すように、線Ｌ１と線Ｌ２との間に位置することが望ましい。なお、線Ｌ１は、平面視で、隣り合う発光部９に対して設けられた光源２１から出射された光が交差する点を含み、照明領域４と導光領域３との境界に平行に延びる線である。また、線Ｌ２は、光源２１を含み、照明領域４と導光領域３との境界に平行に延びる線である。但し、導光領域３は、少なくとも一部が繋がっている。【０２１２】
つまり、光源２１が導光板１の一端面に設けられており、前記したように照明領域４と導光領域３とが、導光板１の主面に沿って、光源２１側から、導光領域３、照明領域４の順に設けられている場合、上記一端面からスリット部８までの光軸方向の長さは、上記一端面から、隣り合う光源２１から出射された光が交差する点までの光軸方向の長さ以下であることが好ましい。【０２１３】
なお、図１８中、二点鎖線で示すように、光源２１が導光板１の下面側に設けられている場合でも、隣り合う光源２１同士の照射領域が重なり合う領域にはスリット部８が設けられていることが好ましい。このため、この場合にも、スリット部８の光源２１側の端部は、隣り合う発光部９に対して設けられた、図１８中、二点鎖線にて示す光源２１から出射された光が交差する点を含み、照明領域４と導光領域３との境界に平行に延びる線Ｌ１と、二点鎖線にて示す線Ｌ２との間に設けられていることが好ましく、上記線Ｌ１と、導光領域３における照明領域４とは反対側の端部との間に位置することがより好ましい。但し、この場合にも、導光領域３は、図２の（ａ）に示した各導光部３Ａの少なくとも一部が繋がっていることが前提である。【０２１４】
より具体的には、図１８に示すように、光源２１としてＬＥＤを使用する場合、ＬＥＤの発光面における、スリット部８の延長線に面する側の端部を第１の発光面端とし、ＬＥＤの発光面における、第１の発光面端に対向する端部を第２の発光面端とし、スリット部８の延長線と第１の発光面端との間の距離をａとし、第１の発光面端と第２の発光面端との間の距離（すなわちＬＥＤの幅）をｆとし、導光板１の屈折率による臨界角をθとし、スリット部８の長さをｄとし、導光板１の長さをｅとすると、照明領域４の先端面１２からのスリット部８の長さｄは、ｄ≧ｅ−｛（ａ＋ｆ）×ｔａｎ（９０−θ）｝を満足することが好ましく、ｄ≧ｅ−｛ａ×ｔａｎ（９０−θ）｝を満足することがより好ましい。これにより、スリット部８によって、光源２１から出射された光を、全て全反射させることができる。【０２１５】
言い換えれば、スリット部８は、該スリット部８の光源２１側の端部の入光端面２からの距離（ｅ−ｄ）が、ｅ−ｄ≦（ａ＋ｆ）×ｔａｎ（９０−θ）を満足する位置に設けられていることが好ましく、ｅ−ｄ≦（ａ）×ｔａｎ（９０−θ）を満足する位置に設けられていることがより好ましい。【０２１６】
なお、スネルの法則により、光源２１から導光板１に入射する光は上記臨界角θ以内である。【０２１７】
θは、導光板１の屈折率をｎ１とすると、ｓｉｎθ＝１／ｎ１で示される。導光板１の屈折率による臨界角θは、導光板１がポリカーボネート（屈折率ｎ１＝１．５９）の場合、約３９°であり、導光板１がアクリル樹脂（屈折率ｎ１＝１．４９）の場合、約４２°である。【０２１８】
なお、本実施の形態では、上記したように、導光領域３の一部並びに照明領域４にスリット部８および切欠部８Ａが設けられている構成を例に挙げて説明したが、本実施の形態はこれに限定されるものではない。例えば、スリット部８および切欠部８Ａに代えて、前記実施の形態２、３に示したように、溝部１３・１３Ａあるいは散乱部材１４・１４Ａが設けられている構成を有していてもよい。これにより、前記実施の形態２、３に記載の効果（利点）に加えて、上記効果を得ることができる。【０２１９】
なお、本実施の形態でも、導光板１の形成方法は特に限定されるものではなく、例えば、前記実施の形態１〜３と同様の方法を用いることができる。【０２２０】
〔実施の形態５〕
本実施の形態について、主に図１９に基づいて説明すれば、以下の通りである。なお、本実施の形態では、前記実施の形態１〜４との相違点について説明するものとし、前記実施の形態１〜４と同様の機能を有する構成要素には同一の番号を付し、その説明を省略する。【０２２１】
図１９の（ａ）は本実施の形態にかかる照明装置Ｌの要部の概略構成を示す平面図であり、図１９の（ｂ）は、図１９の（ａ）に示す照明装置Ｌにおける導光板１のＧ−Ｇ線矢視断面図である。【０２２２】
本実施の形態にかかる照明装置Ｌは、図１９に示すように、前記実施の形態４同様、導光板１の導光領域３は繋がっているが、照明領域４に設けられたスリット部８および切欠部８Ａが、導光領域３の一部にまで延設されている構成を有している。【０２２３】
但し、本実施の形態にかかる照明装置Ｌは、前記実施の形態４とは異なり、導光板１の照明領域４が、スリット部８により完全に分断されておらず、照明領域４の先端部が連結された構成を有している。【０２２４】
すなわち、本実施の形態にかかる導光板１は、照明領域４が部分的に複数の発光部９に区切られているとともに、導光領域３も部分的に複数の導光部３Ａに区切られている。【０２２５】
つまり、本実施の形態にかかる導光板１は、図１９の（ａ）・（ｂ）に示すように、複数の導光ブロック１Ａが、一次元に配列されてなり、各導光ブロック１Ａの隣り合う導光部３Ａ同士が部分的に繋がった導光領域３を備えるとともに、隣り合う発光部９・９間の一部に光学的な仕切りを備えている構成を有している。また、本実施の形態にかかる光源ユニット２０は、導光ブロック１Ａと光源２１とからなる光源ブロック２０Ａが、上記したように導光部３Ａの一部および発光部９の一部で複数繋がった構成を有している。【０２２６】
また、本実施の形態でも、前記実施の形態４同様、スリット部８の光源２１側の端部は、図１８に示したように、平面視で、隣り合う領域に対して設けられた光源２１から出射された光が交差する点よりも光源２１側に位置することが望ましい。【０２２７】
なお、本実施の形態では、上記したように、導光領域３の一部並びに照明領域４の一部にスリット部８および切欠部８Ａが設けられている構成を例に挙げて説明したが、本実施の形態はこれに限定されるものではない。例えば、スリット部８および切欠部８Ａに代えて、前記実施の形態２、３に示したように、溝部１３・１３Ａあるいは散乱部材１４・１４Ａが設けられている構成を有していてもよい。【０２２８】
本実施の形態によれば、前記実施の形態４に記載の効果を得ることができるとともに、上記したように、区切られた照明領域４の先端部に仕切りが設けられておらず、上記先端部同士が繋がっている場合、特に、同じ材料で一体的に成形されている場合、導光板１の構成をより強固なものとすることができる。【０２２９】
なお、本実施の形態でも、導光板１の形成方法は特に限定されるものではなく、例えば、前記実施の形態１〜３に記載の形成方法のなかから適宜選択することができる。【０２３０】
〔実施の形態６〕
本実施の形態について、主に図２０の（ａ）・（ｂ）に基づいて説明すれば、以下の通りである。なお、本実施の形態では、前記実施の形態１〜５との相違点について説明するものとし、前記実施の形態１〜５と同様の機能を有する構成要素には同一の番号を付し、その説明を省略する。【０２３１】
図２０の（ａ）・（ｂ）は、各々、本実施の形態にかかる照明装置Ｌの要部の概略構成の一例を示す平面図である。【０２３２】
前記実施の形態１〜５では、各発光部９の境界部が直線状に形成されている場合を例に挙げて説明したが、本実施の形態では、各発光部９の境界部が鋸歯状（ジグザグ状）に形成されている場合を例に挙げて説明する。【０２３３】
本実施の形態にかかる照明装置Ｌに用いられる各導光板１は、例えば図２０の（ａ）・（ｂ）に示すように、例えば図２の（ａ）に示すスリット部８および切欠部８Ａまたは図１５の（ａ）に示す溝部１３・１３Ａが、ジグザグ状に形成されている以外は、前記実施の形態１、２に記載の導光板１と同じである。【０２３４】
上記したように、各発光部９が、ジグザグ状の境界を有するように区分されていることで、前記実施の形態１、２に記載の効果に加えて、各発光部９・９間の境界をぼかす、ぼかし効果を得ることができる。あるいは、上記ぼかし効果を高めることができる。【０２３５】
なお、本実施の形態では、上記したように、主に、図２の（ａ）に示すスリット部８または図１５の（ａ）に示す溝部１３が、ジグザグ状に形成されている導光板１を用いた場合を例に挙げて説明した。しかしながら、本実施の形態で用いられる導光板１はこれに限定されるものではなく、前記実施の形態３〜５に記載の導光板１における各仕切りが、ジグザグ状に形成されている構成を有していてもよく、発光部９同士の境界が凹凸形状を有していればよい。また、上記境界の形状は、上記したようにジグザグ状に限定されるものではなく、例えば波状であってもよい。【０２３６】
また、本実施の形態において、スリット部８または溝部１３における、隣り合う鋸歯間のピッチＰ（各鋸歯の頂点間の距離）、各鋸歯のなす角度Ｑ、並びに、各鋸歯の高さｈは特に限定されるものではなく、所望のぼかし効果を得ることができるように、適宜設定すればよい。【０２３７】
〔実施の形態７〕
本実施の形態について、主に図２１の（ａ）・（ｂ）に基づいて説明すれば、以下の通りである。なお、本実施の形態では、前記実施の形態１〜６との相違点について説明するものとし、前記実施の形態１〜６と同様の機能を有する構成要素には同一の番号を付し、その説明を省略する。【０２３８】
図２１の（ａ）は本実施の形態にかかる照明装置Ｌの要部の概略構成を示す平面図であり、図２１の（ｂ）は、図２１の（ａ）に示す照明装置Ｌにおける導光板１のＨ−Ｈ線矢視断面図である。【０２３９】
本実施の形態にかかる照明装置Ｌは、導光板１に、光の透過を制限する仕切りとして、図２１の（ａ）・（ｂ）に示すように、該仕切り以外の部分よりも屈性率が小さい層（以下、「低屈折率層」と記す）１６が設けられている。なお、上記仕切り以外の部分よりも屈性率が小さいとは、導光板１の材料よりも屈性率が小さいことを示す。【０２４０】
また、導光板１の照明領域４における発光部９が並ぶ方向の両端には、低屈折率層１６に対向して、低屈折率層１６の１／２の幅の低屈折率層１６Ａが設けられている。これにより、本実施の形態にかかる照明装置Ｌは、図２１の（ａ）・（ｂ）に示すように、同一平面において隣り合う導光板１・１間の発光部９・９間に、隣り合う導光板１に設けられた低屈折率層１６Ａによって、各導光板１に設けられた低屈折率層１６と同様の低屈折率層１６が形成されている。【０２４１】
このため、各導光板１は、低屈折率層１６の中央部分で導光板１を複数の導光ブロックに分割したとき、全導光ブロックが同じ形状を有している。つまり、各導光板１は、各々、仕切りの中央部分で照明領域４を複数の領域に区分したときの各領域の形状が全て同じである。【０２４２】
なお、本実施の形態でも、隣り合う低屈折率層１６Ａ・１６Ａの幅を各々ｃ１、ｃ２とすると、前記式（１）を満足することが好ましく、ｃ１＝ｃ２＝１／２ｂであることがより好ましい。【０２４３】
また、低屈折率層１６・１６Ａは、全反射条件を満足する（つまり、全反射条件を満足する材料からなる）ことが好ましく、前記したように、光源２１から出射された光を全て全反射するように設けられていることがより好ましい。【０２４４】
前記したように、スネルの法則により、光源２１から導光板１に入射する光はθ以内である。θは、導光板１の屈折率をｎ１とすると、前記したように、ｓｉｎθ＝１／ｎ１で示される。【０２４５】
したがって、導光板１に入射された光が低屈折率層１６（つまり、導光板１に設けられた低屈折率層１６、あるいは、隣り合う低屈折率層１６Ａ・１６Ａによって形成される低屈折率層１６）で全反射し、導光板１内を導光する条件は、低屈折率層１６の屈折率をｎ２とすると、スネルの法則により、ｓｉｎ（９０−θ）＝ｎ２／ｎ１となる。この式から、ｓｉｎ（９０−θ）＝ｃｏｓθであり、（ｓｉｎθ）２＋（ｃｏｓθ）２＝１であるから、１／（ｎ１）２＋（ｎ２）２／（ｎ１）２＝１となり、これをｎ２について解くと、ｎ２＝｜√｛(ｎ１)２−１｝｜となる。【０２４６】
したがって、全反射条件を満たすためには、低屈折率層１６の屈折率ｎ２が次式（２）
ｎ２＜｜√｛(ｎ１)２−１｝｜…（２）
を満足すればよい。【０２４７】
前記したように導光板１がアクリル樹脂の場合、ｎ１＝１．４９であるから、全反射条件を満たすためには、低屈折率層１６は、ｎ２＜１．１０を満足すればよい。また、導光板１がポリカーボネートの場合、ｎ１＝１．５９であるから、全反射条件を満たすためには、低屈折率層１６は、ｎ２＜１．２３６を満足すればよい。【０２４８】
このような条件を満足する層としては、例えば空気層（ｎ２＝１．０）が挙げられる。すなわち、低屈折率層１６としては、例えば、スリット部８が挙げられる。しかしながら、本実施の形態はこれに限定されるものではなく、低屈折率層１６としては、導光板１における低屈折率層１６以外の部分よりも屈性率が小さい層であればよく、好適には式（２）を満足する層であればよい。【０２４９】
つまり、上記仕切りとしては、例えば単なる反射層を使用することもできるが、この場合、反射率により、光の利用効率が低下する。このため、上記仕切りは、上記した全反射条件を満足する材料からなることがより望ましい。【０２５０】
本実施の形態でも、光源ユニット２０を横に複数並べた場合、どの領域でも光り方が同じになる。このため、隣接エリアへの光漏れを低減しながら導光ブロックの結合体としての強度を保つことができるとともに、面内で均一な発光を行うことができる照明装置を得ることができる。【０２５１】
〔実施の形態８〕
本実施の形態について、主に図２２〜図２５に基づいて説明すれば、以下の通りである。なお、本実施の形態では、前記実施の形態１〜７に記載の照明装置Ｌを備えた電子機器の一例として、液晶表示装置を例に挙げて説明する。本実施の形態でも、前記実施の形態１〜７と同様の機能を有する構成要素には同一の番号を付し、その説明を省略する。【０２５２】
図２２は、本実施の形態にかかる液晶表示装置の要部の概略構成を模式的に示す断面図である。また、図２３の（ａ）は、図２２に示す液晶表示装置に設けられた照明装置の概略構成の一例を示す平面図であり、図２３の（ｂ）は、図２２に示す液晶表示装置を、図２３の（ａ）に示す照明装置における光源とは反対側から見たときの該液晶表示装置の概略構成を模式的に示す端面図である。なお、図２３の（ａ）では光学シートの図示を省略した。【０２５３】
なお、本実施の形態では、本実施の形態にかかる照明装置Ｌとして、主に、図１２の（ａ）・（ｂ）に記載のタンデム型の照明装置３０を用いた場合を例に挙げて説明する。【０２５４】
図２２に示すように、本実施の形態にかかる液晶表示装置４０は、液晶パネル４１（表示パネル）と、該液晶パネル４１の表示面とは反対側（背面側）に設けられた照明装置３０とを備えている。上記照明装置３０はバックライトとも称され、液晶パネル４１に向かって光を照射するようになっている。【０２５５】
なお、本実施の形態でも、説明の便宜上、各導光板１における光の出射側の主面、すなわち、照明装置３０における液晶パネル４１との対向面（発光面ＬＡ）を上面または表面とし、その反対側の主面を下面または裏面として説明する。【０２５６】
なお、液晶パネル４１の構成は、従来の液晶表示装置に使用される一般的な液晶パネルと同様であるため、その詳細な説明並びに図示を省略する。液晶パネル４１の構成は特に限定されず、適宜公知の液晶パネルを適用することができる。液晶パネル４１は、例えば、複数のＴＦＴ（薄膜トランジスタ）が形成されたアクティブマトリクス基板と、該アクティブマトリクス基板に対向する対向基板とを備え、これら一対の基板間に液晶層がシール材によって封入された構成を有している。上記対向基板としては、例えば、ＣＦ（カラーフィルタ）基板が用いられる。【０２５７】
一方、本実施の形態にかかる照明装置３０は、図２２および図２３の（ａ）・（ｂ）に示すように、導光板１と、光源２１と、基板４２と、光学シート４３と、遮光体３１とを備えている。【０２５８】
なお、本実施の形態では、上記したように、前記実施の形態１に記載の光源ユニット２０を複数枚光軸方向に部分的にずらし重ねるとともに、光軸方向に垂直な方向に複数枚並列させている。このため、上記照明装置３０は、複数の導光板１と、各導光板１に設けられた複数の光源２１とを備えるとともに、各導光板１に、基板４２および遮光体３１が各々設けられた構成を有している。【０２５９】
なお、本実施の形態では、光源ユニット２０を、光源２１から出射される光の光軸方向に５枚ずらし重ねるとともに上記光軸方向に垂直な方向に２つ並列させて配置している。しかしながら、前記したように、重ね合わせる導光板１の枚数は２枚以上であればよく、並列させる導光板１の枚数も２枚以上であればよい。また、前記したように、光源ユニット２０は、光軸方向に垂直な方向にのみ配置されていても構わない。【０２６０】
基板４２は、図２２および図２３の（ａ）・（ｂ）に示すように、各導光板１における入光端面２に沿って設けられている。各光源２１は、基板４２上に一列に並んで実装されている。【０２６１】
基板４２の下面側には、各光源２１を点灯制御するための図示しない駆動回路（ドライバ）が配置されている。すなわち、上記駆動回路は、各光源２１と共に同一の基板４２に実装されている。本実施の形態では、各光源２１を個別に点灯制御することで、各導光板１における発光部９毎の発光量を独立調整することができるようになっている。【０２６２】
なお、光源２１と導光板１とはできるだけ近接して配置されていることが好ましい。光源２１と導光板１とを近接して配置することにより、光源２１から導光板１への入光効率を向上させることができる。【０２６３】
光学シート４３は、各導光板１における発光面５の上面に各々設けられていてもよく、各導光板１における発光面５を一括して覆うように一体的に形成されていてもよい。【０２６４】
すなわち、光学シート４３は、導光板１の上面側に重ねて配置された複数のシートによって構成され、導光板１から出射された光を均一化すると共に集光して液晶パネル４１に照射するようになっている。【０２６５】
光学シート４３は、一般的には、液晶パネル４１に均一な光を照射するための拡散板、光を集光しつつ散乱させる拡散シート、光を集光し正面方向の輝度を向上させるレンズシート、光の一方の偏光成分（片偏光成分）を反射し、他方の偏光成分（片偏光成分）を透過することによって液晶表示装置４０の輝度を向上させる偏光反射シート等によって構成される。これらは、液晶表示装置４０の価格や性能によって適宜組み合わせて使用される。【０２６６】
また、各導光板１の裏面には、前記したように、遮光体３１が設けられている。遮光体３１としては、導光板１から照射される光の一部と光学シート４３によって再帰される光とを反射するために、反射シートが設けられていることが望ましく、前記したように、２種類の反射シートが設けられていることがより望ましい。遮光体３１は、各導光板１の裏面側に、光源２１との対向領域のみならず、各導光板１の裏面全面に亘って配置されることにより、より多くの光を液晶パネル４１に向かって反射させることができる。【０２６７】
上記の構成により、点状の光源２１から出射された光は、散乱作用と反射作用とを受けながら導光板１内を進み、発光面５から出射し、光学シート４３を通って液晶パネル４１に到達する。【０２６８】
次に、照明装置３０を用いたエリアアクティブ駆動の動作原理を、図２４を参照して以下に説明する。【０２６９】
映像信号が液晶表示装置４０に入力されると、この映像信号（入力画像）に基づいてエリアアクティブ処理がなされる。すなわち、点灯制御回路３４は、各発光部９に送られる映像信号に基づく照射信号によって、例えばＬＥＤ（光源２１）の照明光量を映像信号に応じて変更することにより、入力画像に対して複数の発光部９（発光エリア）を各々独立して調光する。これにより、入力画像の明暗に応じたＬＥＤデータが作成される。なお、一例として、例えば５２型の液晶表示装置４０の場合、発光エリア数は、４８×２４に設定される。【０２７０】
一方、入力画像と、上記ＬＥＤデータとから、液晶パネル４１に表示されるＬＣＤデータが作成される。このＬＥＤデータとＬＣＤデータとが、照明装置３０（ＬＥＤ  ＢＬＵ：バックライトユニット）と液晶パネル４１とによって重ね合わされことで、高コントラストで広視野角、広色再現性の出力画像が得られる。【０２７１】
次に、液晶表示装置４０の表示領域に表示される画像の明暗に応じた、照明装置３０（バックライト）における各発光部９の照明光の輝度制御について図２５を参照してより具体的に説明する。【０２７２】
図２５は、液晶表示装置４０の主要部の概略構成を示すブロック図である。【０２７３】
照明装置３０における発光面ＬＡは、マトリクス状に、例えばＭ行×Ｎ列の分割照明領域（発光部９）に区分されており、分割照明領域毎に、点灯・消灯がなされる。すなわち、本実施の形態では、照明装置３０に、導光板として、図２２および図２３の（ａ）・（ｂ）に示すような、エリア分割された導光板１（タンデム導光板）を使用し、エリア毎に光量を調整している。【０２７４】
液晶パネル４１は、照明装置３０の分割照明領域に対応する分割表示領域に仮想的に分割することができる。また、液晶表示装置４０は、照明装置３０の分割照明領域に対応する分割領域に仮想的に分割することができる。なお、上記分割領域および分割照明領域は、液晶表示装置４０における１画素の整数倍（但し、１以上）に対応していることが好ましい。【０２７５】
液晶表示装置４０は、図２５に示すように、駆動回路（制御手段）として、点灯制御回路３４の他に、最大階調レベル検出回路４４、階調変換回路４５を備えている。なお、説明の便宜上、図２５では、点灯制御回路３４を、駆動回路の一つとして照明装置３０とは別に図示しているが、前記したように、点灯制御回路３４は、照明装置３０とは別に設けられていてもよく、照明装置３０と一体的に設けられていてもよい。【０２７６】
点灯制御回路３４は、最大階調レベル検出回路４４で検出された液晶表示装置４０（液晶パネル４１）の分割領域毎の１フレーム期間中の最大階調レベルに応じて、対応する照明装置３０の分割照明領域毎に、前記したように、光源２１の単位時間当たりの照明期間と非照明期間との比率を変更することにより、照明光強度を制御する。【０２７７】
本実施の形態では、上記単位時間として、例えば、１フレーム期間での照明期間と非照明期間との比率を変更する。【０２７８】
なお、上記最大階調レベルは、Ｒ、Ｇ、Ｂの色毎に制御しても、白色制御してもよい。
すなわち、上記各分割照明領域における照明光強度は、Ｒ、Ｇ、Ｂの３色で独立調整（すなわち、Ｒ，Ｇ，Ｂ毎にエリア発光）してもよいし、白色調整（すなわち、エリア発光を白黒のみ行う）してもよい。【０２７９】
また、階調変換回路４５は、最大階調レベル検出回路４４で検出された液晶表示装置４０における分割領域毎の１フレーム期間中の最大階調レベルに応じて表示画像信号を変換し、液晶パネル４１に入力する入力画像信号を、分割表示領域毎に作成する。【０２８０】
なお、最大階調レベル検出回路４４で検出された最大階調レベルに対応して点灯制御回路３４で制御される照明装置３０の照明・非照明期間の割合は、前記実施の形態１に示した通りであり、明るい画像が表示される表示領域（分割領域）に対応する照明領域（分割照明領域）では照明光の輝度を高くし、暗い画像が表示される表示領域（分割領域）に対応する照明領域（分割照明領域）では照明光の輝度を低く制御することで、ダイナミックレンジが拡大され、コントラスト感の高い画像を表示できる液晶表示装置４０を実現することができる。【０２８１】
以上のように、本実施の形態にかかる液晶表示装置４０は、各分割領域がＭ行×Ｎ列のマトリクス状に分割されており、各分割領域に表示される画像毎に、最大階調レベル検出回路４４が表示画像信号の最大階調レベルを検出し、点灯制御回路３４が、照明装置３０における、対応する分割照明領域の照明期間と非照明期間との比率を変更して液晶パネル４１への照明光強度を制御し、階調変換回路４５が、上記最大階調レベル検出回路４４で検出された最大階調レベルに応じて、液晶パネル４１に入力する入力画像信号を、分割表示領域毎に最適化する。【０２８２】
上記制御を行うことで、発光面全面を一定光量で照射し続ける照明装置をバックライトとして使用するよりも、きめ細かくコントラスト感が高い画像表示を行うことができる。すなわち、本実施の形態によれば、薄型で高画質な大型の液晶表示装置４０を実現することができる。【０２８３】
なお、上記説明においては、本実施の形態にかかる照明装置Ｌとして、図１２の（ａ）・（ｂ）に記載のタンデム型の照明装置３０を用いた場合を例に挙げて説明したが、本実施の形態はこれに限定されるものではなく、前記した各実施の形態に記載の照明装置Ｌを適宜選択して用いることができる。【０２８４】
なお、本実施の形態では、本実施の形態にかかる電子機器の一例として、液晶表示装置を例に挙げて説明したが、本実施の形態はこれに限定されるものではない。また、上記電子機器としては、液晶表示装置以外の表示装置であってもよく、本実施の形態にかかる照明装置Ｌは、照明装置を必要とするあらゆる電子機器に適用することができる。【０２８５】
〔実施の形態９〕
本実施の形態について、主に図２６〜図２８に基づいて説明すれば、以下の通りである。なお、本実施の形態では、前記実施の形態１〜８に記載の照明装置Ｌを備えた電子機器の一例として、前記実施の形態８に記載の液晶表示装置４０を適用したテレビジョン受信機（液晶テレビジョン）を例に挙げて説明する。本実施の形態でも、前記実施の形態１〜９と同様の機能を有する構成要素には同一の番号を付し、その説明を省略する。【０２８６】
図２６は、本実施の形態にかかるテレビジョン受信機用の液晶表示装置４０の概略構成を示すブロック図である。また、図２７は、図２６に示すテレビジョン受信機におけるチューナー部と液晶表示装置４０との関係を示すブロック図である。図２８は、図２６に示すテレビジョン受信機の分解斜視図である。【０２８７】
上記液晶表示装置４０は、図２６に示すように、Ｙ／Ｃ分離回路５０、ビデオクロマ回路５１、Ａ／Ｄコンバータ５２、液晶コントローラ５３、液晶パネル４１、バックライト駆動回路５４、バックライトとしての照明装置Ｌ、マイコン５５、階調回路５６を備えている。【０２８８】
上記構成の液晶表示装置４０において、まず、テレビ信号の入力映像信号は、Ｙ／Ｃ分離回路５０に入力され、輝度信号と色信号に分離される。輝度信号と色信号はビデオクロマ回路５１にて、光の３原色であるＲ、Ｇ、Ｂに変換され、さらに、このアナログＲＧＢ信号はＡ／Ｄコンバータ５２により、デジタルＲＧＢ信号に変換され、液晶コントローラ５３に入力される。【０２８９】
液晶パネル４１では、液晶コントローラ５３からのＲＧＢ信号が所定のタイミングで入力されるとともに、階調回路５６からのＲＧＢそれぞれの階調電圧が供給され、画像が表示されることになる。これらの処理を含め、システム全体の制御はマイコン５５が行うことになる。【０２９０】
なお、映像信号として、テレビジョン放送に基づく映像信号、カメラにより撮像された映像信号、インターネット回線を介して供給される映像信号、ＤＶＤに記録された映像信号等、様々な映像信号に基づいて表示可能である。【０２９１】
さらに、図２７に示すチューナー部６０では、テレビジョン放送を受信して映像信号を出力し、液晶表示装置４０ではチューナー部６０から出力された映像信号に基づいて画像（映像）表示を行う。【０２９２】
また、上記構成の液晶表示装置４０をテレビジョン受信機とするとき、例えば、図２８に示すように、液晶表示装置４０は、例えば、第１の筐体６１と第２の筐体６２とで包み込むようにして挟持される。【０２９３】
第１の筐体６１には、液晶表示装置４０で表示される映像を透過させる開口部６１ａが形成されている。【０２９４】
また、第２の筐体６２は、液晶表示装置４０の背面側を覆うものであり、該液晶表示装置４０を操作するための操作用回路６３が設けられるとともに、下方に支持用部材６４が取り付けられている。【０２９５】
以上のように、上記構成のテレビジョン受信機や映像モニタにおいて、表示装置に上記液晶表示装置４０を用いることで、コントラストが高く、動画特性が良く、表示品位の高い映像を表示することが可能となる。【０２９６】
以上のように、上記各実施の形態にかかる照明装置は、光学的な仕切りによって照明領域に複数の発光部が設けられている。このため、上記照明装置の導光板は、発光部と導光部とを備えた複数の導光ブロックの導光部が一体的に形成され、各導光ブロックが、上記発光部が並ぶ第１の方向に導光部で連結されたに等しい構造を有している。【０２９７】
また、上記照明装置は、上記発光部間に上記仕切りが設けられていることで、簡素な構成でありながら、各光源から出射された光を、目的とする発光部に閉じ込め、隣の発光部に漏れることを抑制、回避することができる。【０２９８】
また、上記照明装置は、導光板と複数の光源とを有する複数の光源ユニットを備えている。上記光源ユニットは、上記第１の方向に並んで設けられている。上記照明装置は、上記第１の方向に隣り合う光源ユニット間の発光部間の少なくとも一部にも上記仕切りが設けられていることで、上記したように上記光源ユニットを上記第１の方向に複数並べても照明領域のどの部分でも光り方が同じになる。このため、面内で均一な発光を行うことができる。【０２９９】
したがって、上記各実施の形態によれば、隣接エリアへの光漏れを低減しながら導光ブロックの結合体としての強度を保つことができるとともに、照明領域のどの部分でも光り方が均一な照明装置を提供することができる。【０３００】
なお、上記各光源ユニット内の発光部間に設けられた仕切りの幅と、上記第１の方向に隣り合う光源ユニット間に設けられた仕切りの幅とは、同一であることが望ましい。【０３０１】
また、上記第１の方向に隣り合う光源ユニット間の上記発光部間の仕切りは、各光源ユニットにおける上記第１の方向の少なくとも一方の端に設けられており、上記各光源ユニットにおける上記第１の方向の両端の仕切りの幅を、各々ｃ１、ｃ２とし、上記各光源ユニット内の発光部間に設けられた仕切りの幅をｂとし、ｃ１≧０、ｃ２＞０、ｂ＞０とすると、次式（１）
ｃ１＋ｃ２＝ｂ…（１）
を満足することが望ましく、ｃ１＝ｃ２＝１／２ｂであることがより望ましい。【０３０２】
上記の各構成によれば、各光源ユニット内の発光部間に設けられた仕切りの幅と、上記第１の方向に隣り合う光源ユニット間に設けられた仕切りの幅とを容易に一致させることができる。特に、ｃ１＝ｃ２＝１／２ｂとした場合、全導光ブロックが同じ形状を有するように上記導光板を形成することができる。【０３０３】
なお、上記仕切りとしては、例えば、上記導光板に設けられたスリットまたは溝を用いることができる。【０３０４】
上記照明領域にスリットが形成されていることで、スリットによる反射が発生する。全反射角条件を満たす角度（全反射となる最小の入射角である臨界角θを超える角度）でスリットに当たる光は全て反射される。全反射角条件を満たさない光の一部は隣の発光部に漏れるが、スリットを設けない場合には該スリットに相当する領域に入射した光は全て該領域を透過する。【０３０５】
このため、上記仕切りとしてスリットを設けることで、各光源から出射された光の出光領域を制限し、上記照明領域を複数の発光部に完全に分割することができる。この結果、隣り合う発光部同士のコントラストを高めることができる。【０３０６】
逆に、上記仕切りとして、導光板に溝を設けた場合、溝の真下の部分は、隣接する発光部と繋がっていることから、各発光部間の境界をぼかすことができる。【０３０７】
上記照明領域に溝が形成されている場合にも、溝による反射が発生する。溝により反射されない光、並びに、隣接する発光部と繋がっている、各溝の真下の領域を通った一部の光は、隣の発光部に漏れるが、ある一定の割合で、目的とする発光部内に導光された光を閉じ込めることが可能である。【０３０８】
上記溝を設けない場合には、この溝に相当する領域に入射した光は全て該領域を透過する。このため、上記仕切りとして溝を設けることで、各光源から出射された光の出光領域を制限することができる。【０３０９】
しかも、上記の構成によれば、隣り合う発光部同士が、その境界部における導光板の底面で繋がっているため、より一層強度が高く、構造が頑丈であるという利点がある。【０３１０】
また、上記仕切りは、該仕切りで区分された上記発光部よりも屈性率が小さい層によって形成されていてもよい。この場合にも、上記仕切りによる反射が発生し、特に、全反射角条件を満たす角度で上記仕切りに当たる光は全て反射される。【０３１１】
したがって、上記仕切りとして、上記の層が設けられていることで、各光源から出射された光の出光領域を制限することができ、隣り合う発光部同士のコントラストを高めることができる。【０３１２】
なお、上記した各仕切りは、全反射条件を満たすことが好ましい。全反射条件は、上記仕切り以外の部分（つまり、上記導光板の材料）の屈折率をｎ１とし、上記仕切りの屈折率をｎ２とすると、スネルの法則により、前記臨界角θを用いて、次式（２）
ｎ２＜｜√｛(ｎ１)２−１｝｜…（２）
のように表わされる。したがって、上記仕切りは、上記式（２）を満足することが好ましい。このような層としては、例えば、前記スリットあるいは溝による空気層等が挙げられる。【０３１３】
また、上記仕切りは、光散乱物質もしくは遮光体によって形成されていてもよい。【０３１４】
上記の構成によれば、一部の光は隣の発光部に漏れるが、ある一定の割合で、目的とする発光部内に導光された光を閉じ込めることが可能である。【０３１５】
上記仕切りが設けられていない場合には、隣り合う発光部の境界部に相当する領域に入射した光は全て該領域を透過する。したがって、上記照明領域に、光散乱物質もしくは遮光体からなる仕切りが設けられていることで、各光源から出射された光の出光領域を制限することができる。【０３１６】
しかも、上記の構成によれば、各発光部は、光散乱物質もしくは遮光体からなる仕切りを介して繋がっており、上記照明領域に空間部が存在しない。このため、上記仕切りが溝である場合よりもさらに強度が高く、構造が頑丈であるという利点がある。このため、導光板の形状が安定化する。【０３１７】
また、上記仕切りは、上記照明領域において、隣り合う発光部に対して設けられた光源から入射した光が交差する点を含むことが好ましい。【０３１８】
これにより、隣り合う光源から出射された光が混光されることを抑制もしくは回避することができるので、エリア制御を容易に行うことができる。【０３１９】
また、上記発光部は、上記照明領域における上記導光領域とは反対側の端部で、上記仕切りを介さずに各々直接繋がっていることが好ましい。【０３２０】
このような構成とすることで、より一層強度が高く、構造が安定し、頑丈となる。【０３２１】
一方、上記仕切りが、上記照明領域の端から端まで設けられている場合、上記発光部の端部から隣の照明領域に光が漏れないので、隣り合う発光部同士のコントラストを高めることができる。【０３２２】
また、上記仕切りは凹凸形状（例えばジグザグ状、あるいは波状等）を有していていてもよい。この場合にも各領域間の境界をぼかすことができる。【０３２３】
また、上記照明装置は、上記各光源ユニットの第２の方向に、他の光源ユニットが、一方の光源ユニットの導光領域の少なくとも一部に、他方の光源ユニットの照明領域が重なるように配置されていることが好ましい。【０３２４】
すなわち、上記各光源ユニットは、隣り合う導光部同士の少なくとも一部が繋がった導光領域と、上記発光部と仕切りとを含む照明領域とを備え、複数の上記光源ユニットが二次元に配列され、上記光源ユニットの第２の方向に他の光源ユニットが隣り合い、上記第２の方向に隣り合う一方の光源ユニットの導光領域の少なくとも一部に、他方の光源ユニットの照明領域が重なっていることが好ましい。【０３２５】
上記の各構成によれば、上記発光部の数を二次元的に増やすことができる。このため、１枚の導光板のサイズに関係なく、連続した広い発光領域を実現することができる。【０３２６】
また、上記照明装置は、上記導光領域の強度が高いことで、上記したように光源ユニットを二次元に配置し、各導光板における導光領域の厚みを薄くしたとしても、各導光ブロックの連結部の強度が高い。このため、上記照明装置は、各導光ブロックの結合体として、頑丈な構造を有している。【０３２７】
また、上記照明装置を備えている表示装置は、充分な輝度と、優れた輝度均一性とを実現することができるとともに、照明装置の強度が高く、頑丈である。【０３２８】
また、上記照明装置を備えている表示装置は、装置の薄型化を図ることができるとともに、発光面積が大きくなった場合にも、充分な輝度と、優れた輝度均一性とを実現することができる。しかも、高画質化に向けて各照明領域の輝度を調整することができる。【０３２９】
上記表示装置は、上記複数の発光部に送られる各々の映像信号に応じて上記各光源の照明光量を制御する制御回路を有していることが好ましい。【０３３０】
このような構成とすることで、照明領域毎に、発光強度を独立して調整することができる。【０３３１】
また、上記制御回路は、上記表示パネルに表示する画像の階調レベルに応じて上記照明装置の単位時間当たりの照明期間と非照明期間との比率を変更することにより、上記表示パネルへの照明光強度を制御することが好ましい。【０３３２】
上記の構成によれば、各照明領域の単位時間当たりの照明光強度を調節することができる。これにより、照明領域毎に、発光強度を独立して調整することができる。したがって、このとき、明るい画像が表示される表示領域に対応する照明領域では照明光の輝度を高くし、暗い画像が表示される表示領域に対応する照明領域では照明光の輝度を低く制御することでダイナミックレンジが拡大され、コントラスト感の高い画像を表示できる表示装置（液晶表示装置）を実現することができる。【０３３３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０３３４】
本発明の照明装置は、液晶表示装置等の表示装置のバックライトとして利用できる。本発明の照明装置は、特に、大型の液晶表示装置のバックライトとして好適に利用できる。
【図１】
2009144853.tif 000003
【図２】
2009144853.tif 000004
【図３】
2009144853.tif 000005
【図４】
2009144853.tif 000006
【図５】
2009144853.tif 000007
【図６】
2009144853.tif 000008
【図７】
2009144853.tif 000009
【図８】
2009144853.tif 000010
【図９】
2009144853.tif 000011
【図１０】
2009144853.tif 000012
【図１１】
2009144853.tif 000013
【図１２】
2009144853.tif 000014
【図１３】
2009144853.tif 000015
【図１４】
2009144853.tif 000016
【図１５】
2009144853.tif 000017
【図１６】
2009144853.tif 000018
【図１７】
2009144853.tif 000019
【図１８】
2009144853.tif 000020
【図１９】
2009144853.tif 000021
【図２０】
2009144853.tif 000022
【図２１】
2009144853.tif 000023
【図２２】
2009144853.tif 000024
【図２３】
2009144853.tif 000025
【図２５】
2009144853.tif 000026
【図２６】
2009144853.tif 000027
【図２７】
2009144853.tif 000028
【図２８】
2009144853.tif 000029
【図２４】
2009144853.tif 000030
【国際調査報告】
2009144853.tif 000031
2009144853.tif 000032
2009144853.tif 000033
2009144853.tif 000034